(57)【要約】  本明細書で説明される実施形態によれば、基地局から今後のシステム情報（ＳＩ）更新の通知を無線デバイスにおいて受信するための方法および装置が提供される。無線デバイスは、第１のキャリア上の物理リソースの連続サブセットを使用して基地局と通信している。無線デバイスにおける方法は、無線デバイスが監視するように設定されている、ＳＩ修正期間中の複数のページングオケージョンのサブセットの指示を取得することであって、ＳＩの今後の更新に応答して、基地局が、ＳＩ修正期間中の複数のページングオケージョンの各々の上で通知を送信するように設定されている、指示を取得することと、今後のＳＩ更新の通知について複数のページングオケージョンのサブセットを監視することとを含む。【選択図】図１２
2021510475.tif 000002
【特許請求の範囲】
【請求項１】
基地局から今後のシステム情報（ＳＩ）更新の通知を受信するための、無線デバイスによって実施される方法であって、前記無線デバイスが、第１のキャリア上の物理リソースの連続サブセットを使用して前記基地局と通信しており、前記方法は、
−  前記無線デバイスが監視するように設定されている、ＳＩ修正期間中の複数のページングオケージョンのサブセットの指示を取得することであって、ＳＩの今後の更新に応答して、前記基地局が、前記ＳＩ修正期間中の前記複数のページングオケージョンの各々の上で通知を送信するように設定されている、指示を取得することと、
−  今後のＳＩ更新の通知について前記複数のページングオケージョンの前記サブセットを監視することと
を含む、方法。
【請求項２】
前記取得するステップが、
前記基地局から前記指示を受信すること
を含む、請求項１に記載の方法。
【請求項３】
前記取得するステップが、
前記無線デバイスに関連付けられたカテゴリーまたは能力情報に基づいて前記指示を決定すること
を含む、請求項１に記載の方法。
【請求項４】
前記ＳＩ修正期間中の前記複数のページングオケージョンの前記サブセットが、前記ＳＩ修正期間中の最後のページングオケージョンである、請求項１から３のいずれか一項に記載の方法。
【請求項５】
前記ＳＩ修正期間中の前記複数のページングオケージョンの前記サブセットが、前記ＳＩ修正期間中の均等に分散されたページングオケージョンを含む、請求項１から３のいずれか一項に記載の方法。
【請求項６】
第１のキャリア上の物理リソースの前記連続サブセットが帯域幅部分を含む、請求項１から５のいずれか一項に記載の方法。
【請求項７】
専用ＲＲＣシグナリングを介して、更新されたＥＴＷＳ／ＣＭＡＳ情報を受信すること
をさらに含む、請求項１から６のいずれか一項に記載の方法。
【請求項８】
基地局から更新されたシステム情報（ＳＩ）を受信するための、無線デバイスによって実施される方法であって、前記無線デバイスが、第１のキャリア上の物理リソースの連続サブセットを使用して前記基地局と通信しており、前記方法は、
−  前記基地局から今後のＳＩ更新の指示を受信することであって、前記指示が、物理リソースの前記連続サブセット内の物理リソース上で受信される、指示を受信すること
を含む、方法。
【請求項９】
第１のキャリア上の物理リソースの前記連続サブセットが帯域幅部分を含む、請求項８に記載の方法。
【請求項１０】
前記指示が、物理リソースの前記連続サブセット内の専用ページングチャネル上で受信されるページングメッセージを含む、請求項８または９に記載の方法。
【請求項１１】
前記指示が、物理リソースの前記連続サブセット内の物理ダウンリンク制御チャネル（ＰＤＣＣＨ）上で受信されるメッセージを含む、請求項８から１０のいずれか一項に記載の方法。
【請求項１２】
前記指示が専用ＲＲＣシグナリングを含む、請求項８または９に記載の方法。
【請求項１３】
前記指示は、どのシステム情報ブロックが更新されるべきであるか、および／または更新されるべきであるシステム情報ブロックに関連付けられた新しい値タグ、のうちの１つまたは複数に関係する情報を含む、請求項８から１２のいずれか一項に記載の方法。
【請求項１４】
前記指示を受信したことに応答して、前記更新されたＳＩを受信するための、物理リソースの前記連続サブセットの外部の物理リソースを監視すること
をさらに含む、請求項８から１３のいずれか一項に記載の方法。
【請求項１５】
物理リソースの前記連続サブセットの外部の前記物理リソースが初期帯域幅部分を含む、請求項１４に記載の方法。
【請求項１６】
前記指示は、前記更新されたシステム情報に関係するメッセージが物理リソースの前記連続サブセットの外部の物理リソース上で送信されることになる時間期間に関係する情報を含む、請求項１４または１５に記載の方法。
【請求項１７】
前記指示が、前記更新されたシステム情報に関係する前記メッセージを送信するために使用されるべき周波数リソースに関係する情報をさらに含む、請求項１６に記載の方法。
【請求項１８】
前記指示が、ＳＩメッセージのためのスケジューリング割り当てを含み、前記スケジューリング割り当てが、物理リソースの前記連続サブセット内の物理ダウンリンク制御チャネルを使用して受信される、請求項１４から１７のいずれか一項に記載の方法。
【請求項１９】
前記指示を受信したことに応答して、前記更新されたシステム情報を受信するための、物理リソースの前記連続サブセット内の物理リソース上で、前記更新されたＳＩのブロードキャストを受信すること
をさらに含む、請求項８から１３のいずれか一項に記載の方法。
【請求項２０】
前記指示を受信したことに応答して、物理リソースの前記連続サブセット内の物理リソースを使用して、前記更新されたＳＩをブロードキャストするようにとの要求を前記基地局に送信すること
をさらに含む、請求項１９に記載の方法。
【請求項２１】
無線リソース制御シグナリングを使用して前記要求を送信すること
をさらに含む、請求項２０に記載の方法。
【請求項２２】
前記ブロードキャストが、システム情報修正期間内の複数のページングオケージョンのサブセット上で受信される、請求項１９から２１のいずれか一項に記載の方法。
【請求項２３】
専用無線リソース制御（ＲＲＣ）シグナリング上で、前記更新されたＳＩを受信することをさらに含む、請求項８から２２のいずれか一項に記載の方法。
【請求項２４】
１つまたは複数の値タグが、前記更新されたＳＩの一部として受信される、請求項１４、１５または２３に記載の方法。
【請求項２５】
前記更新されたＳＩを送信するようにとの要求を前記基地局に送信したことに応答して、前記更新されたＳＩを受信することをさらに含む、請求項２３に記載の方法。
【請求項２６】
無線デバイスに更新されたシステム情報（ＳＩ）の通知を送信するための、基地局によって実施される方法であって、前記無線デバイスが、第１のキャリア上の物理リソースの連続サブセットを使用して前記基地局と通信しており、前記方法は、
ＳＩの今後の更新に応答して、ＳＩ修正期間内に複数のページングオケージョンの各々の上でＳＩの前記今後の更新を指示する通知を送信することと、
前記無線デバイスが監視するように設定されている、前記ＳＩ修正期間中の前記複数のページングオケージョンのサブセットの指示を取得することと、
ページングオケージョンの前記サブセット中に、物理リソースの前記連続サブセット上で前記無線デバイスへの送信をスケジュールすることを抑制することと
を含む、方法。
【請求項２７】
前記取得するステップが、前記無線デバイスから前記複数のページングオケージョンの前記サブセットの指示を受信することを含む、請求項２６に記載の方法。
【請求項２８】
前記取得するステップが、前記無線デバイスに関連付けられたカテゴリーまたは能力情報に基づいて、前記複数のページングオケージョンの前記サブセットを決定することを含む、請求項２６に記載の方法。
【請求項２９】
前記無線デバイスに前記複数のページングオケージョンの前記サブセットの指示を送信することをさらに含む、請求項２６または２８に記載の方法。
【請求項３０】
前記ＳＩ修正期間中の前記複数のページングオケージョンのサブセットが、前記ＳＩ修正期間中の最後のページングオケージョンである、請求項２６から２９のいずれか一項に記載の方法。
【請求項３１】
前記ＳＩ修正期間中の前記複数のページングオケージョンの前記サブセットが、前記ＳＩ修正期間中の均等に分散されたページングオケージョンを含む、請求項２６から２９のいずれか一項に記載の方法。
【請求項３２】
第１のキャリア上の物理リソースの前記連続サブセットが帯域幅部分を含む、請求項２６から３１のいずれか一項に記載の方法。
【請求項３３】
専用ＲＲＣシグナリングを介して、前記無線デバイスに、更新された地震および津波警報システム（ＥＴＷＳ）情報および／または商用モバイル警告システム（ＣＭＡＳ）情報を送信すること
をさらに含む、請求項２６から３２のいずれか一項に記載の方法。
【請求項３４】
前記更新されたＥＴＷＳおよび／またはＣＭＡＳ情報を受信することに関心があり、ならびに／あるいは前記更新されたＥＴＷＳおよび／またはＣＭＡＳ情報を受信することが可能であることを、それらのカテゴリー／能力情報が指示する無線デバイスのみに、前記更新されたＥＴＷＳおよび／またはＣＭＡＳ情報を送信すること
をさらに含む、請求項３３に記載の方法。
【請求項３５】
無線デバイスに更新されたシステム情報（ＳＩ）を送信するための、基地局によって実施される方法であって、前記無線デバイスが、第１のキャリア上の物理リソースの連続サブセットを使用して前記基地局と通信しており、前記方法は、
−  前記無線デバイスに今後のＳＩ更新の指示を送信することであって、前記指示が、物理リソースの前記連続サブセット内の物理リソース上で送信される、指示を送信すること
を含む、方法。
【請求項３６】
前記指示が、物理リソースの前記連続サブセット内の専用ページングチャネル上で送信されるページングメッセージを含む、請求項３５に記載の方法。
【請求項３７】
前記指示が、物理リソースの前記連続サブセット内の物理ダウンリンク制御チャネル（ＰＤＣＣＨ）上で送信されるメッセージを含む、請求項３５または３６に記載の方法。
【請求項３８】
前記指示が、物理リソースの前記連続サブセットを使用して前記基地局と通信する複数の無線デバイスに送信され、前記指示が、ＳＩ修正期間内の複数のページングオケージョンの各々中に送信される、請求項３５または３６に記載の方法。
【請求項３９】
前記指示が、物理リソースの前記連続サブセットを使用して前記基地局と通信する複数の無線デバイスに送信され、前記指示は、前記複数の無線デバイスのうちの１つまたは複数が物理リソースの前記連続サブセットを監視していることに前記基地局が気づいている時間期間中に送信される、請求項３５、３６または３７に記載の方法。
【請求項４０】
前記指示が専用ＲＲＣシグナリングを含む、請求項３３に記載の方法。
【請求項４１】
前記指示は、どのシステム情報ブロックが更新されるべきであるか、および／または更新されるべきであるシステム情報ブロックに関連付けられた新しい値タグ、のうちの１つまたは複数に関係する情報を含む、請求項３３から３８のいずれか一項に記載の方法。
【請求項４２】
物理リソースの前記連続サブセットの外部の物理リソースを使用して前記更新されたＳＩを送信すること
をさらに含む、請求項３５から４１のいずれか一項に記載の方法。
【請求項４３】
前記指示は、前記更新されたＳＩに関係するメッセージが物理リソースの前記連続サブセットの外部の物理リソース上で送信されることになる時間期間に関係する情報を含む、請求項４２に記載の方法。
【請求項４４】
前記指示が、前記更新されたシステム情報に関係する前記メッセージを送信するために使用されるべき周波数リソースに関係する情報をさらに含む、請求項４１に記載の方法。
【請求項４５】
前記指示が、ＳＩメッセージのためのスケジューリング割り当てを含み、前記スケジューリング割り当てが、物理リソースの前記連続サブセット内の物理ダウンリンク制御チャネルを使用して送信される、請求項４０から４２のいずれか一項に記載の方法。
【請求項４６】
物理リソースの前記連続サブセット内の物理リソース上で、前記更新されたＳＩのブロードキャストを送信すること
をさらに含む、請求項３５から４１のいずれか一項に記載の方法。
【請求項４７】
前記更新されたＳＩをブロードキャストするようにとの要求を前記無線デバイスから受信したことに応答して、前記ブロードキャストを送信すること
をさらに含む、請求項４６に記載の方法。
【請求項４８】
無線リソース制御シグナリング上で前記要求を受信すること
をさらに含む、請求項４７に記載の方法。
【請求項４９】
前記ブロードキャストが、システム情報修正期間内の複数のページングオケージョンのサブセット上で送信される、請求項３６から４８のいずれか一項に記載の方法。
【請求項５０】
専用無線リソース制御（ＲＲＣ）シグナリング上で、前記更新されたＳＩを送信することをさらに含む、請求項３５から４１のいずれか一項に記載の方法。
【請求項５１】
前記更新されたＳＩを送信するようにとの要求を前記無線デバイスから受信したことに応答して、前記更新されたＳＩを送信することをさらに含む、請求項５０に記載の方法。
【請求項５２】
第１のキャリア上の物理リソースの前記連続サブセットが帯域幅部分を含む、請求項３５から５１のいずれか一項に記載の方法。
【発明の詳細な説明】
【背景技術】
【０００１】
序論
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【０００２】
５Ｇシステム（たとえば新しい無線（ＮＲ））の重要な特性は、たとえば６〜１００ＧＨｚの範囲の、高いキャリア周波数の使用である。そのような高い周波数スペクトルの場合、大気、透過および回折減衰特性は、より低い周波数スペクトルの場合よりもはるかに悪くなり得る。さらに、入射電磁波から電磁エネルギーを収集する有効受信機アンテナ面積を表すメトリックとしての受信機アンテナ開口は、周波数に反比例し、すなわち、全方向性受信および送信アンテナが使用される場合、自由空間シナリオにおいてさえ、同じリンク距離について、リンクバジェット（通信システムにおける送信機から媒体（自由空間、ケーブル、導波路、ファイバーなど）を介した受信機への利得および損失のすべてを考慮に入れる）がより悪くなり得る。これは、高い周波数スペクトルにおけるリンクバジェットの損失を補償するためのビームフォーミングの使用に動機を与える。これは、不十分な受信機を有する無線デバイス、たとえば、低コスト／低複雑度無線デバイスと通信するときに特に重要である。リンクバジェットを改善するための他の手段は、（たとえば、ワイドビームまたは全方向性送信を可能にするための）送信の繰返し、あるいは同じまたは異なるセルにおける複数の送信／受信ポイントからの単一周波数ネットワーク（ＳＦＮ）送信の使用を含み得る。
【０００３】
（無線アクセスネットワークが新しい無線（ＮＲ）と呼ばれ、コアネットワークが次世代コア（ＮＧＣ）と呼ばれる）３ＧＰＰによって現在規格化されている５Ｇシステムについて、３ＧＰＰは、Ｌｏｎｇ  Ｔｅｒｍ  Ｅｖｏｌｕｔｉｏｎ（ＬＴＥ）において使用されるシステム情報（ＳＩ）の分散のための原理を部分的に変更することに合意した。
【０００４】
ＮＲについて、ＳＩを「最小ＳＩ（ｍｉｎｉｍｕｍ  ＳＩ）」と「他のＳＩ（ｏｔｈｅｒ  ＳＩ）」とに分割することが決められており、最小ＳＩは、セルにアクセスするために必要とされ得るＳＩであり、ＮＲスタンドアロンモードの場合（すなわち、ＬＴＥとのデュアル接続設定ではない場合）、最小ＳＩは、他のＳＩのＳＩＢのためのスケジューリング情報をも含んでいる。最小ＳＩは、マスタ情報ブロック（ＭＩＢ）とシステム情報ブロックタイプ１（ＳＩＢ１）とからなる。ＳＩＢ１は「残存最小システム情報」（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）とも呼ばれる。少なくともＮＲスタンドアロンモードでは、最小ＳＩは、セル中で周期的にブロードキャストされ得るが、他のＳＩは、周期的にブロードキャストされるか、またはオンデマンドで配信されるかのいずれかであり得、たとえば、ＲＲＣ＿ＩＤＬＥまたはＲＲＣ＿ＩＮＡＣＴＩＶＥ状態にあるＵＥから、（Ｍｓｇ１とも呼ばれる）ランダムアクセスプリアンブルまたは（Ｍｓｇ３とも呼ばれる）ランダムアクセスメッセージ３によってトリガされるか、あるいはＲＲＣ＿ＣＯＮＮＥＣＴＥＤ状態にあるＵＥから専用ＲＲＣシグナリングを介して要求される。ランダムアクセスプリアンブル（Ｍｓｇ１）送信が使用される場合、他のＳＩの異なる部分（たとえば、（１つまたは複数の）ＳＩメッセージ、および結果として（１つまたは複数の）ＳＩメッセージに割り当てられた（１つまたは複数の）ＳＩＢ）を要求するための異なるプリアンブルがあり得る。ランダムアクセスメッセージ３（Ｍｓｇ３）送信が使用される場合、ＵＥは、そのようなメッセージにおいて、他のＳＩのどの部分（たとえば、（１つまたは複数の）ＳＩメッセージ、および結果として（１つまたは複数の）ＳＩメッセージに割り当てられた（１つまたは複数の）ＳＩＢ）をブロードキャスト／送信することをＵＥがネットワークに希望するかを指定し得る。
【発明の概要】
【０００５】
図１は、他のＳＩのブロードキャスト／送信を要求するためのＭｓｇ１ソリューションのメッセージシーケンスを示す。Ｍｓｇ１ソリューションでは、関係する（ｃｏｎｃｅｒｎｅｄ）専用プリアンブルのうちの１つの受信が、最小ＳＩ中のスケジューリング情報に従って、要求された（１つまたは複数の）ＳＩＢをブロードキャストするようにネットワークをトリガする。ネットワーク、たとえばｇＮＢも、Ｍｓｇ１に応答して要求元ＵＥに、Ｍｓｇ１の受信の成功を確認し、要求されたＳＩがブロードキャストされることになることを確認する、Ｍｓｇ２を送信する。ＵＥがオンデマンドＳＩの要求のためのＭｓｇ１方法を使用するとき、ＵＥは、（最小ＳＩ中で指定された）所望のオンデマンドＳＩに関連付けられたプリアンブルを選択し、ＰＲＡＣＨリソースを使用してネットワークにこのプリアンブルを送信する。ＵＥは、次いで、（Ｍｓｇ２ウィンドウ中に）確認Ｍｓｇ２を待ち、確認Ｍｓｇ２を受信した後に、ＵＥは、最小ＳＩ中で（ＳＩＢ１中で）指示された、要求されたＳＩのためのスケジューリング情報に従って、要求されたＳＩのブロードキャストについてダウンリンクを監視する。プロシージャは以下の図１に示されている。
【０００６】
図２は、他のＳＩのブロードキャスト／送信を要求するためのＭｓｇ３ソリューションのメッセージシーケンスを示す。Ｍｓｇ３ソリューションでは、要求プロシージャは、通常のランダムアクセスプロシージャのように始まり、すなわち、ＵＥは、Ｍｓｇ１中の通常の（非専用）プリアンブルのうちの１つを送信し、応答の通常のＭｓｇ２を受信し、Ｍｓｇ２は、任意の通常のＭｓｇ２のように、Ｍｓｇ３の送信のためのアップリンク送信リソースを割り当て、ならびにＵＥが正しいタイミングでＭｓｇ３を送信することを可能にするためのタイミングアドバンス指示を提供する。Ｍｓｇ３中に含まれるＳＩ要求は、最小ＳＩ中のスケジューリング情報に従って、ＵＥからのＭｓｇ３中で指定された他のＳＩの部分をブロードキャスト／送信するようにネットワークをトリガする。ネットワーク、たとえばｇＮＢも、Ｍｓｇ３の受信の成功を確認し、要求されたＳＩがブロードキャストされることになることを確認する、Ｍｓｇ４を送信する。ＵＥがオンデマンドＳＩの要求のためのＭｓｇ３方法を使用するとき、ＵＥは、（最小ＳＩ中で指定された）通常の非専用プリアンブルのうちの１つをランダムに選択し、ＰＲＡＣＨリソースを使用してネットワークにこのプリアンブルを送信する。ＵＥは、次いで、（Ｍｓｇ２ウィンドウ中に）Ｍｓｇ２を待ち、Ｍｓｇ２を受信した後に、ＵＥは、（Ｍｓｇ２中で指示されたタイミングアドバンスおよびアップリンク送信リソースを使用して）Ｍｓｇ３を送信し、確認Ｍｓｇ４についてダウンリンクを監視する。確認Ｍｓｇ４を受信した後に、ＵＥは、最小ＳＩ中で（ＳＩＢ１中で）指示された、要求されたＳＩのためのスケジューリング情報に従って、要求されたＳＩのブロードキャストについてダウンリンクを監視する。プロシージャは以下の、エラー！参照元が見つかりません、に示されている。
【０００７】
ＳＩＢ１中に含まれるＳＩ送信のためのスケジューリング情報は正確でなく、ＰＤＣＣＨ上のスケジューリング割り当てとして、特定のリソース割り当てを含まない。ＳＩＢ１中の情報は、ＳＩＢをＳＩメッセージに割り当て、同じ周期性をもつＳＩＢのみが、同じＳＩメッセージに割り当てられ得る。さらに、各ＳＩメッセージは、関連付けられたＳＩウィンドウを有し、そのＳＩウィンドウは、異なるＳＩメッセージについて異なる周期性で循環する（ただし、そのＳＩウィンドウは、すべてのＳＩメッセージについて同じ長さを有する）。基地局は、ＳＩメッセージに関連付けられたＳＩウィンドウ内のある時点において、あるＳＩメッセージをブロードキャストする。ＵＥは、ＰＤＣＣＨ上のスケジューリング割り当てからＳＩメッセージ送信を識別することができ、これは、ＳＩ−ＲＮＴＩと示される、この目的のための専用ＲＮＴＩにアドレス指定される（すなわち、ＳＩ−ＲＮＴＩは、スケジューリング割り当てを搬送するＤＣＩのＣＲＣに符号化される）。
【０００８】
（たとえば、物理セル識別情報（ＰＣＩ）が導出され得る２つの部分ＮＲ−ＰＳＳおよびＮＲ−ＳＳＳ（別名ＰＳＳおよびＳＳＳ）からなる）周期同期信号に続いて、ＮＲ−ＰＢＣＨ（別名ＰＢＣＨ）と示されるブロードキャストチャネルを送信することも決められた。一緒に、ＮＲ−ＰＳＳ＋ＮＲ−ＳＳＳ＋ＮＲ−ＰＢＣＨは、ＳＳブロックと示されるエンティティを形成し得る。最小ＳＩのうちの一部は、ＮＲ−ＰＢＣＨ上で、たとえば示されたマスタ情報ブロック（ＭＩＢまたはＮＲ−ＭＩＢ）上でブロードキャストされることになるが、残存最小ＳＩ（ＲＭＳＩ）は、たとえば、ＮＲ−ＰＤＣＣＨ／ＮＲ−ＰＤＳＣＨ（別名ＰＤＣＣＨ／ＰＤＳＣＨ）構造を使用して、すなわち、実際のＲＭＳＩが送信される、ＮＲ−ＰＤＳＣＨ上の送信リソースを割り当てる、ＮＲ−ＰＤＣＣＨ上で送信されるスケジューリング割り当てで、別のチャネル上で周期的にブロードキャストされ得る。３ＧＰＰにおけるさらなる合意によれば、ＲＭＳＩを搬送するＮＲ−ＰＤＣＣＨ／ＮＲ−ＰＤＳＣＨをＵＥが受信することを可能にする情報が、ＮＲ−ＰＢＣＨ上で送信され得る。より詳細には、ＲＭＳＩのために利用されるＮＲ−ＰＤＣＣＨのための設定パラメータがＭＩＢ中で提供され、場合によっては、ＰＣＩから導出されるパラメータによって補完される。ＲＭＳＩ送信に関するリリース１５のためのさらなる３ＧＰＰ合意は、ＲＭＳＩ送信がＳＳブロック送信と空間的に擬似コロケート（ＱＣＬ：Ｑｕａｓｉ  Ｃｏ−Ｌｏｃａｔｅｄ）され得ることである。ＱＣＬ特性の重要性は、ＲＭＳＩを搬送するＮＲ−ＰＤＣＣＨ／ＮＲ−ＰＤＳＣＨを受信するときに使用されるべき正確な同期のために、ＮＲ−ＰＳＳ／ＮＲ−ＳＳＳ送信が依拠され得ることである。
【０００９】
ＳＩ更新のための基本原理は、ＮＲでは、ＬＴＥの場合と同じであり得る。たとえば、ＳＩ更新は、ＳＩ修正期間の概念を中心として構築され得る。言い換えれば、いくつかの例外を伴って、ＳＩは、２つのＳＩ修正期間の間の境界においてのみ更新され得る。さらに、計画されたＳＩ更新は、実際のＳＩ更新より前のＳＩ修正期間中に告知されなければならないことがある。そのような告知は、ページングメッセージを使用して実施され得、たとえば、ページングメッセージは、ＲＲＣ＿ＩＤＬＥ状態にあるＵＥと、ＲＲＣ＿ＩＮＡＣＴＩＶＥ状態にあるＵＥと、ＲＲＣ＿ＣＯＮＮＥＣＴＥＤ状態にあるＵＥとに、来るべきシステム情報変更を通知するために使用され得る。ＵＥが、今後のＳＩ更新の指示、たとえばｓｙｓｔｅｍＩｎｆｏＭｏｄｉｆｉｃａｔｉｏｎパラメータを含む、ページングメッセージを受信した場合、ＵＥは、システム情報が次のＳＩ修正期間境界において変化することになることを知る。
【００１０】
ページングを介したＳＩ更新通知の特殊な場合は、ページングメッセージ中のｅｔｗｓ指示パラメータまたはｃｍａｓ指示パラメータが、公衆警報システムメッセージ（ＥＴＷＳまたはＣＭＡＳ）がＳＩ中でアクティブにされたことを指示するときである。この場合、ＵＥは、更新が直ちに適用可能であることを知っており、ＵＥは、ページングメッセージ中で指示された公衆警報に関係する（１つまたは複数の）ＳＩＢをできるだけ早く捕捉し、読み取り得る。ページングメッセージがｅａｂ−ＰａｒａｍＭｏｄｉｆｉｃａｔｉｏｎ指示を含んでいるとき、同じことが適用される。
【００１１】
ＮＲでは、帯域幅部分（ＢＷＰ）の考えが導入される。ＢＷＰは、全キャリア帯域幅の連続する部分、言い換えれば、特定のキャリア上の物理リソースの連続サブセットを規定する。ＢＷＰは、アップリンク（ＵＬ）とダウンリンク（ＤＬ）とについて別々に規定され得る。この概念の導入のための動機づけは、この概念が、全帯域幅をサポートしないＵＥ、たとえば低複雑度狭帯域ＵＥのための設定のサポートを容易にし、完全な（ｆｕｌｌｙ−ｆｌｅｄｇｅｄ）セルよりも軽量であることである。さらに、キャリア上で複数のＤＬ  ＢＷＰを設定することは、各設定されたＤＬ  ＢＷＰが、シフトされたビーム方向をもつＳＳブロックビーム掃引を提供する（すなわち、同時ＳＳブロック送信が、異なるＤＬ  ＢＷＰにおいて、異なるビーム方向で実施される）場合、ＳＳブロックビーム掃引におけるすべてのビーム上での広帯域ＵＥの測定の速度を上げ得る。
【００１２】
ＢＷＰは、ＲＲＣ＿ＣＯＮＮＥＣＴＥＤ状態にあるＵＥのためにのみ設定され得、すなわち、初期ＢＷＰ（ＵＬのための初期ＢＷＰおよびＤＬのための初期ＢＷＰ）以外に、ＢＷＰは、ＲＲＣ＿ＣＯＮＮＥＣＴＥＤ状態にあるＵＥのためにのみ存在する。ＵＥとネットワークとの間の初期データ交換をサポートするために、たとえば、ＲＲＣ＿ＩＤＬＥまたはＲＲＣ＿ＩＮＡＣＴＩＶＥ状態からＲＲＣ＿ＣＯＮＮＥＣＴＥＤ状態にＵＥを移行するプロセス中に、初期ＤＬ  ＢＷＰおよび初期ＵＬ  ＢＷＰが最小ＳＩ中で設定される。初期ＤＬ  ＢＷＰは、ＲＭＳＩ（ＳＩＢ１）送信の制御リソースセット（ＣＯＲＥＳＥＴ：Ｃｏｎｔｒｏｌ−ｒｅｓｏｕｒｃｅ  ｓｅｔ）（すなわち、ＲＭＳＩ送信のためのＰＤＣＣＨが送信／ブロードキャストされ得るＤＬ送信リソース）に対応する。ＵＥはまた、デフォルトＤＬ  ＢＷＰで設定され得、設定されたアクティブＤＬ  ＢＷＰ上の無線リンクに関する問題を有するか、または非アクティビティタイマーが満了した場合、ＵＥはデフォルトＤＬ  ＢＷＰに切り替わる。
【００１３】
ＤＬ  ＢＷＰは、ＳＳブロック送信を含んでいることも含んでいないこともある。いずれの場合も、ＳＳブロックを規定するシングルセル（すなわち、場合によってはビーム掃引における複数のＳＳブロック送信の形態の、ＳＳブロックブロードキャスト）が常にあり得る。
【００１４】
現在、（１つまたは複数の）ある課題が存在する。ＢＷＰ概念は、ＲＲＣ＿ＣＯＮＮＥＣＴＥＤ状態にあるＵＥのために設計され、ＢＷＰは、必ずしもページングチャネルとＳＩブロードキャストのためのチャネルとを含むとは限らない。したがって、更新されたＳＩ、ならびに、地震および津波警報システム（ＥＴＷＳ：Ｅａｒｔｈｑｕａｋｅ  ａｎｄ  Ｔｓｕｎａｍｉ  Ｗａｒｎｉｎｇ  Ｓｙｓｔｅｍ）情報、商用モバイル警告システム（ＣＭＡＳ：Ｃｏｍｍｅｒｃｉａｌ  Ｍｏｂｉｌｅ  Ａｌｅｒｔ  Ｓｙｓｔｅｍ）情報、および／または拡張アクセス規制（ＥＡＢ：Ｅｘｔｅｎｄｅｄ  Ａｃｃｅｓｓ  Ｂａｒｒｉｎｇ）情報の通知および取出しのための効率的なソリューションが必要である。ＥＴＷＳおよびＣＭＡＳ情報などの緊急情報は、緊急情報がシステム情報とは別個のものであるかのように緊急情報が本明細書でしばしば説明される場合でも、全体的システム情報に属することに留意されたい。
【００１５】
ＲＲＣ＿ＣＯＮＮＥＣＴＥＤ状態にある、割り当てられたＢＷＰ（ＤＬのための割り当てられたＢＷＰおよびＵＬのための割り当てられたＢＷＰ）を使用するＵＥのための、ＳＩ更新通知およびアクティブにされたＥＴＷＳ／ＣＭＡＳ情報の通知のサポートの欠如は、通信のための効率および利用可能性に関して問題を暗示する。ＵＥが、（ページングチャネルが設定された）他の周波数上のページングオケージョン（ＰＯ）を監視するために、ＵＥの割り当てられたＤＬ  ＢＷＰを出なければならない場合、これは、ＵＥの利用可能性におけるギャップを暗示し、すなわち、これらのＰＯ中に、ＵＥはＤＬ送信について利用可能でない。
【００１６】
さらに、ＵＥが、更新されたＳＩまたはＥＴＷＳ／ＣＭＡＳ情報の存在の通知を受信した場合、ＵＥは、更新されたＳＩまたはＥＴＷＳ／ＣＭＡＳ情報を受信するために、潜在的にかなりの時間の間、ＵＥのＤＬ  ＢＷＰを出ることを必要とされ得る。これは、ＳＩＢ１を受信して（ＳＩＢ１を受信することはＭＩＢの先行受信を必要とし得るか、または、ＵＥは、ＭＩＢコンテンツを前に受信および記憶していることがあり、ＳＩＢ１を受信するとき、ＳＩＢ１送信のためのＭＩＢコンテンツ中に含まれているチャネル設定に依拠し得る）、ＳＩＢごとの値タグを読み取って、どの（１つまたは複数の）ＳＩＢが更新されたかと、さらに、関係する（１つまたは複数の）ＳＩＢのための関連するスケジューリング情報とを見つけ出すことを伴い得る。次いで、ＳＩＢ１のみが更新されたのでない限り、ＵＥは、ＳＩＢ１中のスケジューリング情報に従って、更新された（１つまたは複数の）ＳＩＢを受信しなければならない。ＳＩＢ１以外のＳＩＢの受信は、関係する（１つまたは複数の）ＳＩＢの（１つまたは複数の）ＳＩウィンドウ全体を監視するためにＵＥが準備されることを必要とする。したがって、更新されたＳＩ／ＥＴＷＳ／ＣＭＡＳを取り出すために、ＵＥの割り当てられたＤＬ  ＢＷＰからＵＥが離れていなければならない時間は、これが進行中である間、ＵＥが他のいかなるＤＬデータをも受信することができないことを考慮すると、容認できないほど長くなり得る。
【００１７】
本開示のいくつかの態様およびそれらの実施形態は、これらまたは他の課題のソリューションを提供し得る。ソリューションは、更新されたＳＩならびにＥＴＷＳ／ＣＭＡＳ（および場合によってはＥＡＢ）情報の通知および取出しのための効率的な機構を提供する。これは、ＳＩ／ＥＴＷＳ／ＣＭＡＳ更新通知をもつページングメッセージを監視および受信するために、ならびに可能な更新されたＳＩを取り出すために、ＲＲＣ＿ＣＯＮＮＥＣＴＥＤ  ＵＥがその設定されたＤＬ  ＢＷＰを出る必要を、最小限に抑えるかまたはなくすと同時に達成される。
【００１８】
機構は、ＵＥの設定されたＤＬ  ＢＷＰ内で必要な情報を提供すること、または、ＵＥの設定されたＢＷＰの外部で最小時間を費やして、必要とされる情報をＵＥが取り出すことを可能にする情報をＵＥに提供することのいずれかを含む。
【００１９】
本明細書で開示される問題点のうちの１つまたは複数に対処する様々な実施形態が、本明細書で提案される。
【００２０】
いくつかの実施形態は、（１つまたは複数の）以下の技術的利点のうちの１つまたは複数を提供し得る。ソリューションは、ＳＩ／ＥＴＷＳ／ＣＭＡＳ更新通知をもつページングメッセージを監視および受信するために、ならびに可能な更新されたＳＩを取り出すために、ＲＲＣ＿ＣＯＮＮＥＣＴＥＤ  ＵＥがその設定されたＤＬ  ＢＷＰを出る必要を、最小限に抑えるかまたはなくすための機構を提供する。したがって、ソリューションは、更新されたＳＩならびにＥＴＷＳ／ＣＭＡＳ（および場合によってはＥＡＢ）情報の通知および取出しのための効率的な機構を提供する。
【図面の簡単な説明】
【００２１】
【図１】他のＳＩのブロードキャスト／送信を要求するためのＭｓｇ１ソリューションのメッセージシーケンスを示す図である。
【図２】他のＳＩのブロードキャスト／送信を要求するためのＭｓｇ３ソリューションのメッセージシーケンスを示す図である。
【図３】いくつかの実施形態による無線ネットワークを示す図である。
【図４】いくつかの実施形態によるユーザ機器を示す図である。
【図５】いくつかの実施形態による仮想化環境を示す図である。
【図６】いくつかの実施形態による、中間ネットワークを介してホストコンピュータに接続された通信ネットワークを示す図である。
【図７】いくつかの実施形態による、部分的無線接続上で基地局を介してユーザ機器と通信するホストコンピュータを示す図である。
【図８】いくつかの実施形態による、ホストコンピュータと、基地局と、ユーザ機器とを含む通信システムにおいて実装される方法を示す図である。
【図９】いくつかの実施形態による、ホストコンピュータと、基地局と、ユーザ機器とを含む通信システムにおいて実装される方法を示す図である。
【図１０】いくつかの実施形態による、ホストコンピュータと、基地局と、ユーザ機器とを含む通信システムにおいて実装される方法を示す図である。
【図１１】いくつかの実施形態による、ホストコンピュータと、基地局と、ユーザ機器とを含む通信システムにおいて実装される方法を示す図である。
【図１２】いくつかの実施形態による方法を示す図である。
【図１３】いくつかの実施形態による方法を示す図である。
【図１４】いくつかの実施形態による方法を示す図である。
【図１５】いくつかの実施形態による方法を示す図である。
【図１６】いくつかの実施形態による仮想化装置を示す図である。
【図１７】いくつかの実施形態による仮想化装置を示す図である。
【図１８】いくつかの実施形態による仮想化装置を示す図である。
【図１９】いくつかの実施形態による仮想化装置を示す図である。
【発明を実施するための形態】
【００２２】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００２３】
２つの受信動作、すなわち、（ＥＴＷＳ／ＣＭＡＳを含む）ＳＩ更新通知の受信と（ＥＴＷＳ／ＣＭＡＳ情報を含む）更新されたＳＩの受信とに関連する上述の問題は、以下で説明される実施形態で対処され得る。
【００２４】
第１の実施形態は、ＢＷＰの外部のページングオケージョン（ＰＯ）のサブセットを監視することに関する。この実施形態では、無線デバイス（またはＵＥ）は、ＢＷＰ、言い換えれば、第１のキャリア上の物理リソースの連続サブセットを使用して、基地局と通信していることがある。無線デバイスは、無線デバイスが監視するように設定されている、ＳＩ修正期間中の複数のページングオケージョンのサブセットの指示を取得することであって、ＳＩの今後の更新に応答して、基地局が、ＳＩ修正期間中の複数のページングオケージョンの各々の上で通知を送信するように設定されている、指示を取得することと、今後のＳＩ更新の通知について複数のページングオケージョンのサブセットを監視することとを行うように設定され得る。
【００２５】
言い換えれば、無線デバイスが、潜在的ＳＩ／ＥＴＷＳ／ＣＭＡＳ更新通知についてＰＯを監視するために無線デバイスのＤＬ  ＢＷＰを出ることを強制される場合でも、無線デバイスは、ＰＯの全部を監視する必要があるとは限らないことがある。無線デバイスが、ＳＩ修正期間中のすべてのＰＯ中でページングメッセージを送信する基地局に依拠することができるとすれば、各ＳＩ修正期間中のＰＯのほんのサブセット、たとえば各ＳＩ修正期間中の単一のＰＯを無線が監視することが十分であり得る。無線デバイスは、たとえば、各ＳＩ修正期間中の最後のＰＯを監視することができ、ＳＩ更新がまだ確認されていないのでＳＩ修正期間の早期ＰＯ中で基地局がページングメッセージを送信しない場合でも、最後のＰＯは、何らかの関連するページングメッセージを含んでいるであろう。
【００２６】
しかしながら、たとえばＳＩ修正期間中に均等に分散され得る、ＰＯのサブセットを監視することもオプションであり得る。これは、任意のＥＴＷＳ／ＣＭＡＳ更新通知を早期にキャッチするために使用され得る。異なる無線デバイスは、ＥＴＷＳ／ＣＭＡＳ更新通知のための異なる使用法を有し得る。たとえば、いくつかのＭＴＣデバイスは、そのような通知のためのいかなる使用法をも有しないことがあるが、そのような通知は、人間ユーザを有する無線デバイスにとって非常に重要なものであり得る。したがって、異なる無線デバイスは、可能なＥＴＷＳ／ＣＭＡＳ更新を受信することがどれくらい迅速に必要とされ得るかに関する異なる要件を採用し得る。一例として、人間ユーザをもつ無線デバイスは、ＰＯのサブセット（またはすべてさえ）を監視することを選定し得るが、いくつかのＭＴＣデバイスは、各ＳＩ修正期間中の最後のＰＯのみを監視することを選定し得る。
【００２７】
基地局は、ＳＩの今後の更新に応答して、ＳＩ修正期間内に複数のページングオケージョンの各々の上各々の上でＳＩの今後の更新を指示する通知を送信することと、無線デバイスが監視するように設定されている、ＳＩ修正期間中の複数のページングオケージョンのサブセットの指示を取得することと、ページングオケージョンのサブセット中に、物理リソースの連続サブセット上で無線デバイスへの送信をスケジュールすることを抑制することとを行うように設定され得る。
【００２８】
言い換えれば、基地局は、無線デバイスが無線デバイスのＤＬ  ＢＷＰから離れている間、無線デバイスのための他のいかなる送信をもスケジュールしないことがある。したがって、無線デバイスがどの（１つまたは複数の）ＰＯを監視するかに基地局が気づいていれば、したがって、有用である。
【００２９】
たとえば、無線デバイスは、複数のページングオケージョンのサブセットの指示を基地局に送信し得る（これは、無線デバイスがＤＬ  ＢＷＰで設定されるときに１回のみ実施され得る）。代替的に、基地局は、どの（１つまたは複数の）ＰＯを監視すべきかについての命令で無線デバイスを設定し得る。いくつかの実施形態では、基地局は、無線デバイスに関連付けられた能力および／またはカテゴリー情報に基づいて、複数のページングオケージョンのサブセットを導出し得る。言い換えれば、無線デバイスが、人間ユーザをもたないマシン型通信（ＭＴＣ）デバイスである場合、基地局は、複数のページングオケージョンのサブセットが各ＳＩ修正期間の最後のページングオケージョンのみを含むことを決定し得る。
【００３０】
しかしながら、いくつかの実施形態では、無線デバイスが基地局と通信するために使用している物理リソースの連続サブセット内にある物理リソースを使用して、今後のＳＩ更新の指示が無線デバイスに送信され得る。
【００３１】
たとえば、指示は、特定の無線デバイスのための、物理リソースの連続サブセット、すなわちＤＬ  ＢＷＰ内の専用ページングチャネル上で送信されるページングメッセージを含み得る。この実施形態では、ページングチャネルは、各ＤＬ  ＢＷＰのために設定され、このページングチャネルは、通常のやり方においてＳＩ／ＥＴＷＳ／ＣＭＡＳ（および場合によってはＥＡＢパラメータ）更新について通知するページングメッセージのために使用され得る。これは、無線デバイスが通知を受信するために無線デバイスのＤＬ  ＢＷＰを出る必要がないことを意味する。
【００３２】
いくつかの実施形態では、指示は、物理リソースの連続サブセットを使用して基地局と通信する複数の無線デバイスに送信され、指示は、ＳＩ修正期間内の複数のページングオケージョンの各々中に送信される。
【００３３】
しかしながら、この実施形態を最適化するために、ＤＬ  ＢＷＰに関連する事情が利用され得る。言い換えれば、ＤＬ  ＢＷＰに割り当てられた無線デバイスが、すべて、接続状態、たとえばＲＲＣ＿ＣＯＮＮＥＣＴＥＤ状態にあるということは、ネットワークが無線デバイスの各々に気づいていることを意味する。したがって、基地局は、ページングオケージョン（ＰＯ）中でページングメッセージを送信することに限定される必要がないが、１つまたは複数の無線デバイスがリッスンしていることを基地局が知っているときの任意の時間にページングメッセージを送信することができる。たとえば、いくつかの実施形態では、指示は、物理リソースの連続サブセットを使用して基地局と通信する複数の無線デバイスに送信され、指示は、複数の無線デバイスのうちの１つまたは複数が物理リソースの連続サブセットを監視していることに基地局が気づいている時間期間中に送信される。
【００３４】
これを行うときに、基地局は、各無線デバイスが少なくとも１回（またはおそらく冗長性の理由で２回以上）ページングメッセージを受信することを確実にするために、関与する無線デバイスのための可能なＲＲＣ＿ＣＯＮＮＥＣＴＥＤ状態間欠受信（ＤＲＸ）設定および測定ギャップ設定を考慮に入れ得る。このようにして、基地局は、必要とされる送信の数を低減することが可能であり得、潜在的にすべての無線デバイスが、より高速にページングメッセージを受信し得る。ＳＩ／ＥＴＷＳ／ＣＭＡＳ更新通知を含むページングメッセージは、随意に、どの（１つまたは複数の）ＳＩＢが影響を及ぼされたか、および／または更新された（１つまたは複数の）ＳＩＢのための新しい（１つまたは複数の）値タグに関する情報をも含み得る。
【００３５】
いくつかの実施形態では、ＤＬ  ＢＷＰ内の直接指示スタイル／ＰＤＣＣＨ専用ページング通知が使用され得る。たとえば、指示は、物理リソースの連続サブセット内の物理ダウンリンク制御チャネル（ＰＤＣＣＨ）上で送信されるメッセージを含み得る。
【００３６】
たとえば、無線デバイスは、ＮＲにおけるダウンリンク制御情報（ＤＣＩ）／物理ダウンリンク制御チャネル（ＰＤＣＣＨ）専用ページングに対応する、ＬＴＥの直接指示スタイル通知を使用して、ＤＬ  ＢＷＰ内で通知され得る。これは、送信をＰＤＣＣＨに制限し、そのＰＤＣＣＨは、ＤＬ  ＢＷＰ中の共通シグナリングのために設定されたＰＤＣＣＨであり得る。上記で説明されたように、基地局は、これらの送信のためのＰＯに従うか、または、（任意のＲＲＣ＿ＣＯＮＮＥＣＴＥＤ状態ＤＲＸ設定および測定ギャップ設定を考慮に入れて）無線デバイスがリッスンしていることを基地局が知っているときの任意の時間にそれらを送信し得る。したがって、無線デバイスは、ＤＬ  ＢＷＰを出ることなしにＳＩ／ＥＴＷＳ／ＣＭＡＳ更新通知を受信することができる。ＳＩ／ＥＴＷＳ／ＣＭＡＳ更新通知を含んでいるＤＣＩは、随意に、どの（１つまたは複数の）ＳＩＢが影響を及ぼされたか、および／または更新された（１つまたは複数の）ＳＩＢのための新しい（１つまたは複数の）値タグに関する情報をも含んでいることがある。
【００３７】
いくつかの実施形態では、基地局は、専用ＲＲＣシグナリングを使用して各無線デバイスに通知し得る。たとえば、指示は、専用ＲＲＣシグナリングを含み得る。たとえば、ＤＬ  ＢＷＰを使用するすべての無線デバイスが、接続状態、たとえばＲＲＣ＿ＣＯＮＮＥＣＴＥＤ状態にあるので、基地局は、専用ＲＲＣシグナリングを介してＤＬ  ＢＷＰに割り当てられた各無線デバイスに通知し得る。いくつかの例では、指示は、どの（１つまたは複数の）ＳＩＢが影響を及ぼされたかと、場合によってはさらに、更新された（１つまたは複数の）ＳＩＢのための新しい（１つまたは複数の）値タグとに関する情報を含み得る。
【００３８】
ＤＷＰを使用する無線デバイスの数によっては、このソリューションは、不必要に大きいシグナリングオーバーヘッドに達することがある。
【００３９】
いくつかの実施形態では、無線デバイスが今後のＳＩ更新を通知されると、無線デバイスは、ＢＷＰの外部の物理リソース上で、更新されたＳＩを受信するように設定され得る。言い換えれば、無線デバイスは、ＢＷＰを出る必要なしに今後のＳＩについて通知されるが、ＳＩ更新を受信するためにＢＷＰを出なければならないことがある。
【００４０】
たとえば、いくつかの実施形態では、指示は、更新されたＳＩに関係するメッセージが無線デバイスの割り当てられたＢＷＰの外部の物理リソース上で送信されることになる時間期間に関係する情報を含み得る。たとえば、指示は、更新されたＳＩメッセージのための厳密なタイミング／スケジューリング情報を含み得る。
【００４１】
たとえば、無線デバイスの割り当てられたＤＬ  ＢＷＰの外部で、無線デバイスが更新されたＳＩを取り出すために必要な時間を最小限に抑えるために、基地局は、ただ、各ＳＩメッセージについてＳＩウィンドウを提供する代わりに、各更新されたＳＩメッセージのブロードキャストのための厳密なタイミング情報（すなわち、ＳＩメッセージがブロードキャストされることになる厳密な時間）を無線デバイスに提供し得る。随意に、タイミング情報は、ブロードキャスト送信のために使用されることになる周波数リソース（直交周波数分割多重（ＯＦＤＭ）サブキャリア）に関する情報によって補完され得る。この例は、無線デバイスが、更新されたＳＩメッセージの送信のためのＰＤＣＣＨ上のスケジューリング割り当てを受信することを回避することを可能にし得る。
【００４２】
このタイミングおよび可能な周波数リソース情報は、ＳＩ／ＥＴＷＳ／ＣＭＡＳ更新通知とともにページングメッセージ中に含まれ得る。可能な代替形態は、ＳＩＢ１中に厳密なスケジューリング情報を含めることであり得る。
【００４３】
いずれの場合も、そのような厳密なスケジューリング／タイミング情報をプロアクティブに提供することは、あるＳＩメッセージをそのＳＩメッセージに関連付けられたＳＩウィンドウ内でいつ送信すべきかをネットワークが選定するためのフレキシビリティを制限し得る。したがって、可能な代替形態は、低減された時間ウィンドウを提供することであり得、その時間ウィンドウは、完全なＳＩウィンドウよりも小さいが、依然として厳密な時間でなく、それにより、基地局が急な通知とともに送信時間を選定するためのフレキシビリティのいくらかを残す。低減された時間ウィンドウが厳密な時間の代わりに使用されるとき、いかなる周波数リソース情報をも含めないが、関係するＰＤＣＣＨ上のスケジューリング割り当てを受信することについて無線デバイスに依拠することが好ましいことがある。
【００４４】
いくつかの例では、更新された（１つまたは複数の）ＳＩＢのための新しいＳＩＢごとの（１つまたは複数の）値タグが、ＳＩ／ＥＴＷＳ／ＣＭＡＳ更新通知を含んでいるページングメッセージ中で提供され得る。別の代替形態は、新しい（１つまたは複数の）値タグをＰＤＳＣＨ上の（１つまたは複数の）ＳＩメッセージ中に含めることであり得る。場合によっては、無線デバイスは、ＳＩＢ１から新しい（１つまたは複数の）値タグを取り出し得る。ある例では、無線デバイスは、無線デバイスの記憶された（１つまたは複数の）値タグを、単純な順次増加によって自律的に更新し得る。前のように、基地局は、無線デバイスが無線デバイスのＤＬ  ＢＷＰから離れている間、無線デバイスのための他のいかなる送信をもスケジュールしないように設定され得る。この例は、更新されたＳＩの存在について無線デバイスに通知することと、無線デバイスがそれを受信することを容易にすることの両方の目的を果たし得る。
【００４５】
いくつかの例では、指示は、ＳＩメッセージのためのスケジューリング割り当てを含み、スケジューリング割り当ては、物理リソースの連続サブセット内の物理ダウンリンク制御チャネルを使用して送信される。たとえば、基地局は、すべてのＤＬ  ＢＷＰにおいて、ＳＩメッセージＰＤＣＣＨスケジューリング割り当てを送信するように設定され得る。
【００４６】
たとえば、基地局は、各設定されたＤＬ  ＢＷＰにおけるＰＤＣＣＨ上で、更新されたＳＩを含んでいるあらゆるＳＩメッセージのためのスケジューリング割り当てを送信するように設定され得るが、実際のＳＩメッセージは、（たとえば、初期ＤＬ  ＢＷＰにおいて）ＲＲＣ＿ＩＤＬＥ／ＲＲＣ＿ＩＮＡＣＴＩＶＥ無線デバイスが受信するように設定されたＰＤＳＣＨ上のみで送信される。このソリューションでは、各ＤＬ  ＢＷＰにおいて、共通シグナリングのためのＰＤＣＣＨが設定され得る。いくつかの例では、ＳＩメッセージを受信するのに間に合うように、関係するサブキャリアに切り替える（たとえば、そのフィルタおよび受信機アルゴリズムパラメータを再設定する）ための十分な時間を無線デバイスに与えるために、スケジューリング割り当てと、無線デバイスのＤＬ  ＢＷＰの外部での実際のＰＤＳＣＨ  ＳＩメッセージ送信との間に、ある程度の追加の時間があり得る。
【００４７】
この例では、無線デバイスは、更新されたＳＩがブロードキャストされる時間および周波数送信リソースをすでに通知されているので、無線デバイスは、（たとえば、デフォルトまたは初期ＤＬ  ＢＷＰにおける）更新されたＳＩメッセージの送信のためのＰＤＣＣＨ上の通常のスケジューリング割り当てを復号する必要がないことがある。
【００４８】
この例が実装されるとき、無線デバイスのＤＲＸ設定が障害となり得る。たとえば、無線デバイスのアクティブ期間（すなわち、無線デバイスがＤＲＸスリープモードにないとき）のいずれも、更新されたＳＩのブロードキャストと一致しないように無線デバイスが設定された場合、基地局は、状況を解決するために、さらなる方策を適用しなければならないことがある。たとえば、基地局は、無線デバイスのＲＲＣ＿ＣＯＮＮＥＣＴＥＤ状態ＤＲＸ設定を修正または削除するように設定されるか、あるいは専用ＲＲＣシグナリングを介して無線デバイスに更新されたＳＩを配信するように設定され得る。
【００４９】
いくつかの例では、更新された（１つまたは複数の）ＳＩＢのための新しいＳＩＢごとの（１つまたは複数の）値タグは、スケジューリング割り当てを含んでいるＤＣＩ中で提供され得る。別の代替形態は、新しい（１つまたは複数の）値タグをＰＤＳＣＨ上の（１つまたは複数の）ＳＩメッセージ中に含めることであり得る。いくつかの例では、無線デバイスは、ＳＩＢ１から新しい（１つまたは複数の）値タグを取り出し得る。いくつかの例では、無線デバイスは、無線デバイスの記憶された（１つまたは複数の）値タグを、単純な順次増加によって自律的に更新し得る。前述のように、基地局は、基地局が基地局のＤＬ  ＢＷＰから離れている間、無線デバイスのための他のいかなる送信をもスケジュールしないように設定され得る。この例は、更新されたＳＩの存在について無線デバイスに通知すること、すなわち、今後の更新されたＳＩの指示を送信することと、無線デバイスがそれを受信することを容易にすることの両方の目的を果たし得る。この例では、基地局は、関係するＳＩメッセージを基地局がブロードキャストし得るときにおいて、すなわち、関連付けられたＳＩウィンドウ内の任意の時間において、フレキシビリティを保持する。
【００５０】
ある例では、指示は、更新されたＳＩを受信するために無線デバイスのＤＬ  ＢＷＰを出るように無線デバイスに命令し得る。たとえば、各設定された（およびアクティブな）ＤＬ  ＢＷＰにおけるＰＤＣＣＨ上で（プロアクティブ）スケジューリング割り当てを送信する代わりに、上記で説明されたように、基地局は、無線デバイスが、直ちに、「デフォルトＰＤＣＣＨ」（すなわち、非アクティブ、たとえばＲＲＣ＿ＩＤＬＥおよびＲＲＣ＿ＩＮＡＣＴＩＶＥにある無線デバイスが、たとえば初期ＤＬ  ＢＷＰにおいて、監視するＰＤＣＣＨ）の帯域幅を受信するために無線デバイスの受信機を切り替え、更新されたＳＩのブロードキャスト送信のためのスケジューリング割り当てを受信するためにデフォルトＰＤＣＣＨを監視し得ることを、無線デバイスに通知する単純な通知を（各ＤＬ  ＢＷＰにおけるＰＤＣＣＨ上で）送信し得る。基地局は、無線デバイスが無線デバイスの受信機を、関係する帯域幅に切り替えるための十分な時間を有することを保証するのに十分に早期に、この通知を送信するように設定され得る。
【００５１】
１つのオプションとして、無線デバイスへの命令は、別のＤＬ  ＢＷＰに切り替えるように無線デバイスに命令するＤＣＩ（ＰＤＣＣＨ上のダウンリンク制御情報）の変形態であり得る。たとえば、更新されたＳＩを読み取るようにとの命令は、そのようなＤＣＩ中のパラメータであり得る。ＤＬ  ＢＷＰに割り当てられたすべての無線デバイスに同時に命令するために使用される場合、ＤＣＩは、共通制御シグナリングのためのＰＤＣＣＨ上で送信され得、ＤＬ  ＢＷＰに割り当てられたすべての無線デバイスが監視および受信するＲＮＴＩにアドレス指定され得る。
【００５２】
プロアクティブ通知を送信するとき、基地局は、ＤＬ  ＢＷＰに割り当てられた無線デバイスの任意のＲＲＣ＿ＣＯＮＮＥＣＴＥＤ状態ＤＲＸ設定を考慮に入れ得る。上記で説明された例の場合のように、基地局は、無線デバイスのＲＲＣ＿ＣＯＮＮＥＣＴＥＤ状態ＤＲＸスリープ期間が、無線デバイスが通知を受信するのを妨げる場合、さらなる方策を適用しなければならないことがある。たとえば、基地局は、無線デバイスのＲＲＣ＿ＣＯＮＮＥＣＴＥＤ状態ＤＲＸ設定を修正または削除するように設定されるか、あるいは専用ＲＲＣシグナリングを介して無線デバイスに更新されたＳＩを配信するように設定され得る。
【００５３】
この例では、基地局は、更新されたＳＩを受信するために無線デバイスの設定されたアクティブＤＬ  ＢＷＰの外部で無線デバイスが費やさなければならない時間を最小限に抑えながら、ＳＩウィンドウ中の任意のポイントにおいて、更新されたＳＩをブロードキャストすることが可能である。この実施形態は、すなわち指示を受信することによって、更新されたＳＩの存在について無線デバイスに通知することと、無線デバイスがそれを受信することを容易にすることの両方の目的を果たし得る。
【００５４】
いくつかの実施形態では、基地局は、各ＢＷＰ内の物理リソース上で、更新されたＳＩのブロードキャストを送信するように設定され得る。たとえば、基地局は、すべてのＢＷＰにおいて、すべての周期ブロードキャストＳＩを送信し得る。
【００５５】
たとえば、（すべての周期ブロードキャストＳＩメッセージを含む）すべての周期ブロードキャストＳＩは、設定されたＤＬ  ＢＷＰの各々において別々にブロードキャストされ得る。これは、ＤＬ  ＢＷＰに割り当てられた無線デバイスが、ＤＬ  ＢＷＰを出ることなしに、更新されたＳＩを受信することを可能にする。
【００５６】
いくつかの実施形態では、ブロードキャストは、システム情報修正期間内の複数のページングオケージョンのサブセット上で送信される。たとえば、更新されたオンデマンドＳＩが、更新の後に一時的にブロードキャストされる（たとえば、数個の周期送信）場合、無線デバイスは、無線デバイスのＤＬ  ＢＷＰ内のブロードキャストからすべてのＳＩＢの更新を受信し得る。
【００５７】
いくつかの例では、ブロードキャストは、更新されたＳＩを送信するようにとの要求を無線デバイスから受信したことに応答して送信される。たとえば、無線デバイスが今後のＳＩ更新の通知を受信したが、更新されたＳＩのいかなるブロードキャストをも受信しない場合、無線デバイスは、たとえば専用ＲＲＣシグナリングを使用して、更新された（１つまたは複数の）オンデマンドＳＩＢを要求し得る。
【００５８】
セル中のＲＲＣ＿ＩＤＬＥ／ＲＲＣ＿ＩＮＡＣＴＩＶＥ状態にある無線デバイスからのＳＩ送信のためのオンデマンド要求は、たとえば、（たとえば、デフォルトまたは初期ＤＬ  ＢＷＰ内で）それらの状態にある無線デバイスが監視するように規定されたチャネル上のみで、または、そのチャネル上でならびにすべての設定されたＤＬ  ＢＷＰ（無線デバイスがそれらに割り当てられる）においてのいずれかで、要求されたＳＩのブロードキャストをもたらし得る。
【００５９】
いくつかの例では、（非初期）ＵＬ  ＢＷＰのために設定されたＰＲＡＣＨリソース上の、（そのＢＷＰに割り当てられたＲＲＣ＿ＣＯＮＮＥＣＴＥＤ状態にある無線デバイスによっておそらく送信された）Ｍｓｇ１またはＭｓｇ３ベースのオンデマンド要求は、対応するＤＬ  ＢＷＰにおいてのみ、または場合によってはすべての設定されたＤＬ  ＢＷＰにおいて、およびＲＲＣ＿ＩＤＬＥ／ＲＲＣ＿ＩＮＡＣＴＩＶＥ状態にある無線デバイスが監視するように設定されたチャネル上で、ブロードキャストをトリガすることができる。
【００６０】
上記で説明された、すべての設定されたＤＬ  ＢＷＰにおいて等しい様式ですべてのＳＩを提供するソリューションは簡単であるが、ＲＲＣ＿ＣＯＮＮＥＣＴＥＤ状態にある無線デバイスのみがＤＬ  ＢＷＰを使用し、ＲＲＣ＿ＩＤＬＥ／ＲＲＣ＿ＩＮＡＣＴＩＶＥ状態にある無線デバイスは、それらの無線デバイスが必要とするＳＩをすでに捕捉したと仮定され得るので、セル中の２つ以上のＤＬ  ＢＷＰにおいて、たとえば初期ＤＬ  ＢＷＰ以外に別のＤＬ  ＢＷＰにおいてＳＩをブロードキャストすることは、不経済であるという欠点を有する。したがって、いくつかの実施形態では、ＳＩ更新のブロードキャストは、更新の後に一時的にブロードキャストされ得るにすぎない。すなわち、ＳＩが更新されると、ＳＩは、ＳＩ更新が実行されるＳＩ修正期間境界において（または更新がＥＴＷＳ／ＣＭＡＳまたはＥＡＢパラメータに関係する場合は直ちに）開始して、たとえばＳＩ修正期間中の限られた時間の間または限られた回数、あるいは１回または２回のみ、ブロードキャストされる。
【００６１】
ＳＩが一時的にブロードキャストされるための異なる代替形態がある。
−  ＭＩＢ、ＳＩＢ１および任意の更新された他の（１つまたは複数の）ＳＩＢが一時的にブロードキャストされる、
−  ＳＩＢ１および任意の更新された他の（１つまたは複数の）ＳＩＢが一時的にブロードキャストされる、
−  ＭＩＢおよび任意の更新された（１つまたは複数の）ＳＩＢが一時的にブロードキャストされる、または
−  更新された（１つまたは複数の）ＳＩＢ（またはＭＩＢ）のみが一時的にブロードキャストされる。
【００６２】
ＭＩＢがブロードキャストされる場合、ＭＩＢが含んでいるＲＭＳＩ／ＳＩＢ１送信設定データ（すなわち、ＳＩＢ１送信のために使用されるＰＤＣＣＨの設定）は、セルの「主要な」ＭＩＢ、たとえば、デフォルトＭＩＢ、すなわち（たとえば初期ＤＬ  ＢＷＰにおいて）ＳＳブロックを規定するセル中のＲＲＣ＿ＩＤＬＥまたはＲＲＣ＿ＩＮＡＣＴＩＶＥ状態にある無線デバイスに提供されるＭＩＢ中に含まれている設定データと同じであるか、またはその設定データとは異なり得る。ＳＩＢ１がブロードキャストされる場合、ＳＩＢ１が含んでいるスケジューリング情報は、セルの「デフォルトＳＩ」（すなわち、たとえば初期ＤＬ  ＢＷＰにおいて、ＲＲＣ＿ＩＤＬＥおよびＲＲＣ＿ＩＮＡＣＴＩＶＥ状態にある無線デバイスに提供されるＳＩ）中に含まれているスケジューリング情報と同じであるか、またはそのスケジューリング情報とは異なり得る。
【００６３】
いくつかの実施形態では、基地局は、すべてのＤＬ  ＢＷＰにおいて、更新されたＥＴＷＳ／ＣＭＡＳ情報をブロードキャストするように設定され得る。たとえば、いくつかの実施形態では、ＥＴＷＳ／ＣＭＡＳ情報のみが、すべてのＤＬ  ＢＷＰにおいてブロードキャストされる。随意に、これらのブロードキャストは、情報の更新の後に一時的にのみ実施され得る。他のＳＩ情報は、述べられた他の方法のうちのいずれかを使用して無線デバイスにおいて受信され得る。
【００６４】
いくつかの例では、ＥＡＢパラメータを含んでいるＳＩＢ／ＳＩメッセージの更新も、すべてのＤＬ  ＢＷＰにおけるブロードキャストであり得る。たとえば、ＥＡＢパラメータは、これらのパラメータがＲＲＣ＿ＣＯＮＮＥＣＴＥＤ状態において実際に適用されるか、あるいは、無線デバイスがＲＲＣ＿ＩＮＡＣＴＩＶＥまたはＲＲＣ＿ＩＤＬＥ状態に切り替えられる場合にこれらのパラメータは無線デバイスにとって知ることが良いものであり得るかのいずれかであるので、ＲＲＣ＿ＣＯＮＮＥＣＴＥＤ状態にある無線デバイスにとって情報が何らかの関心を引くものである場合、このようにしてブロードキャストされ得る。
【００６５】
ある例では、基地局は、ＤＬ  ＢＷＰにおいて、専用ＲＲＣシグナリングを介して、各無線デバイスに、更新されたＳＩを提供するように設定され得る。たとえば、基地局は、専用シグナリングを介して、ＤＬ  ＢＷＰに割り当てられた各無線デバイスに、更新されたＳＩを提供し得る。場合によっては、更新されたＳＩは、（専用ＲＲＣシグナリングを使用して）無線デバイスからの要求時にのみ提供され得る。ＳＩ更新の通知が、影響を受けた（１つまたは複数の）ＳＩＢがどれであるかについての情報を含んでいた場合、無線デバイスは、更新された（１つまたは複数の）ＳＩＢが無線デバイスにとって関心を引くものである場合にのみ、更新されたＳＩを要求することを選定し得る。オプションとして、アクティブＤＬ  ＢＷＰをもつＲＲＣ＿ＣＯＮＮＥＣＴＥＤ状態にある無線デバイスは、専用シグナリングを介して、他のＳＩの一部であるＳＩＢだけでなく、（最小ＳＩの一部である）ＳＩＢ１、および場合によってはＭＩＢさえをも、ネットワークに要求し得る。無線デバイスが、ＳＩ更新に関する指示を受信する場合、無線デバイスは、したがって、専用シグナリングを通して、ＳＩＢ１（および場合によってはＭＩＢ）を要求し（および提供され）得る。
【００６６】
しかしながら、ＤＬ  ＢＷＰに割り当てられた無線デバイスの数によっては、このソリューションは、望ましくなく大きいシグナリングオーバーヘッドをもたらすことがある。可能な変形形態は、更新されたＳＩについて無線デバイスに通知するメッセージが、無線デバイスがブロードキャストを介して更新されたＳＩを取り出し得るのか、専用ＲＲＣシグナリングを介して更新されたＳＩを取り出し得るのかの指示を含むことができ、それにより、ＤＬ  ＢＷＰに割り当てられた無線デバイスの数に基づいて配信方法を選定する可能性を基地局に与えることであり得る。この例は、更新されたＳＩの存在について無線デバイスに通知することと、無線デバイスがそれを受信することを容易にすることの両方の目的を果たし得る。
【００６７】
いくつかの例では、基地局は、ＤＬ  ＢＷＰにおいて、専用ＲＲＣシグナリングを介して、各無線デバイスに、更新されたＥＴＷＳ／ＣＭＡＳ情報を提供するように設定され得る。これらの例では、基地局は、専用ＲＲＣシグナリングを使用して、ＤＬ  ＢＷＰにおいて、各無線デバイスに、更新されたＥＴＷＳ／ＣＭＡＳ情報（および場合によっては更新されたＥＡＢパラメータ）を提供するように設定され得る。他のＳＩ更新は、本明細書で説明される他のソリューションのうちのいずれかを使用して提供され得る。
【００６８】
いくつかの例では、すべての無線デバイスが、ＥＴＷＳ／ＣＭＡＳ情報に関心があるとは限らないので、基地局は、たとえば、更新されたＥＴＷＳ／ＣＭＡＳ情報を受信することに関心がある（および／または更新されたＥＴＷＳ／ＣＭＡＳ情報を受信することが可能である）ことを、それらのカテゴリー／能力情報が指示する無線デバイスのみに、更新されたＥＴＷＳ／ＣＭＡＳ情報を送信して、このソリューションを選択的に使用することができる。これは、新しい能力情報を導入することを暗示し得る。
【００６９】
それにより、本明細書で説明される実施形態は、ＳＩ／ＥＴＷＳ／ＣＭＡＳ更新通知をもつページングメッセージを監視および受信するために、ならびに可能な更新されたＳＩを取り出すために、ＲＲＣ＿ＣＯＮＮＥＣＴＥＤ無線デバイスがその設定されたＤＬ  ＢＷＰを出る必要を、最小限に抑えるかまたはなくすための機構を提供する。
【００７０】
機構は、無線デバイスの設定されたＤＬ  ＢＷＰ内で必要な情報を提供すること、または、無線デバイスの設定されたアクティブＤＬ  ＢＷＰの外部で最小時間を費やして、必要とされる情報を無線デバイスが取り出すことを可能にする情報を無線デバイスに提供することのいずれかを含む。
【００７１】
図３は、いくつかの実施形態による無線ネットワークを示す。
【００７２】
本明細書で説明される主題は、任意の好適な構成要素を使用する任意の適切なタイプのシステムにおいて実装され得るが、本明細書で開示される実施形態は、図３に示されている例示的な無線ネットワークなど、無線ネットワークに関して説明される。簡単のために、図３の無線ネットワークは、ネットワーク３０６、ネットワークノード３６０および３６０ｂ、ならびにＷＤ３１０、３１０ｂ、および３１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード３６０および無線デバイス（ＷＤ）３１０は、追加の詳細とともに図示される。ネットワークノード３６０は、上記で説明された基地局であり得、ＷＤ３１０は、上記で説明された無線デバイスであり得る。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００７３】
無線ネットワークは、任意のタイプの通信、遠距離通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。
【００７４】
ネットワーク３０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００７５】
ネットワークノード３６０およびＷＤ３１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００７６】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）およびＮＲノードＢ（ｇＮＢ））を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００７７】
図３では、ネットワークノード３６０は、処理回路要素３７０と、デバイス可読媒体３８０と、インターフェース３９０と、補助機器３８４と、電源３８６と、電力回路要素３８７と、アンテナ３６２とを含む。図３の例示的な無線ネットワーク中に示されているネットワークノード３６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード３６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体３８０は、複数の別個のハードドライブならびに複数のＲＡＭモジュールを備え得る）。
【００７８】
同様に、ネットワークノード３６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード３６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード３６０は、複数の無線アクセス技術（ＲＡＴ）をサポートするように設定され得る。そのような実施形態では、いくつかの構成要素は複製され得（たとえば、異なるＲＡＴのための別個のデバイス可読媒体３８０）、いくつかの構成要素は再使用され得る（たとえば、同じアンテナ３６２がＲＡＴによって共有され得る）。ネットワークノード３６０は、ネットワークノード３６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード３６０内の他の構成要素に統合され得る。
【００７９】
処理回路要素３７０は、ネットワークノードによって提供されるものとして本明細書で説明される、任意の決定動作、計算動作、または同様の動作（たとえば、いくつかの取得動作）を実施するように設定される。処理回路要素３７０によって実施されるこれらの動作は、処理回路要素３７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００８０】
処理回路要素３７０は、単体で、またはデバイス可読媒体３８０などの他のネットワークノード３６０構成要素と併せてのいずれかで、ネットワークノード３６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素３７０は、デバイス可読媒体３８０に記憶された命令、または処理回路要素３７０内のメモリに記憶された命令を実行し得る。そのような機能性は、本明細書で説明される様々な無線特徴、機能、または利益のうちのいずれかを提供することを含み得る。いくつかの実施形態では、処理回路要素３７０は、システムオンチップ（ＳＯＣ）を含み得る。
【００８１】
いくつかの実施形態では、処理回路要素３７０は、無線周波数（ＲＦ）トランシーバ回路要素３７２とベースバンド処理回路要素３７４とのうちの１つまたは複数を含み得る。いくつかの実施形態では、無線周波数（ＲＦ）トランシーバ回路要素３７２とベースバンド処理回路要素３７４とは、別個のチップ（またはチップのセット）、ボード、または無線ユニットおよびデジタルユニットなどのユニット上にあり得る。代替実施形態では、ＲＦトランシーバ回路要素３７２とベースバンド処理回路要素３７４との一部または全部は、同じチップまたはチップのセット、ボード、あるいはユニット上にあり得る。
【００８２】
いくつかの実施形態では、ネットワークノード、基地局、ｅＮＢまたは他のそのようなネットワークデバイスによって提供されるものとして本明細書で説明される機能性の一部または全部は、デバイス可読媒体３８０、または処理回路要素３７０内のメモリに記憶された、命令を実行する処理回路要素３７０によって実施され得る。代替実施形態では、機能性の一部または全部は、ハードワイヤード様式などで、別個のまたは個別のデバイス可読媒体に記憶された命令を実行することなしに、処理回路要素３７０によって提供され得る。それらの実施形態のいずれでも、デバイス可読記憶媒体に記憶された命令を実行するか否かにかかわらず、処理回路要素３７０は、説明される機能性を実施するように設定され得る。そのような機能性によって提供される利益は、処理回路要素３７０単独に、またはネットワークノード３６０の他の構成要素に限定されないが、全体としてネットワークノード３６０によって、ならびに／または概してエンドユーザおよび無線ネットワークによって、享受される。
【００８３】
デバイス可読媒体３８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素３７０によって使用され得る情報、データ、および／または命令を記憶する、任意の他の揮発性または不揮発性、非一時的デバイス可読および／またはコンピュータ実行可能メモリデバイスを備え得る。デバイス可読媒体３８０は、コンピュータプログラム、ソフトウェア、論理、ルール、コード、テーブルなどのうちの１つまたは複数を含むアプリケーション、および／または処理回路要素３７０によって実行されることが可能であり、ネットワークノード３６０によって利用される、他の命令を含む、任意の好適な命令、データまたは情報を記憶し得る。デバイス可読媒体３８０は、処理回路要素３７０によって行われた計算および／またはインターフェース３９０を介して受信されたデータを記憶するために使用され得る。いくつかの実施形態では、処理回路要素３７０およびデバイス可読媒体３８０は、統合されていると見なされ得る。
【００８４】
インターフェース３９０は、ネットワークノード３６０、ネットワーク３０６、および／またはＷＤ３１０の間のシグナリングおよび／またはデータの有線または無線通信において使用される。示されているように、インターフェース３９０は、たとえば有線接続上でネットワーク３０６との間でデータを送るおよび受信するための（１つまたは複数の）ポート／（１つまたは複数の）端末３９４を備える。インターフェース３９０は、アンテナ３６２に結合されるか、またはいくつかの実施形態では、アンテナ３６２の一部であり得る、無線フロントエンド回路要素３９２をも含む。無線フロントエンド回路要素３９２は、フィルタ３９８と増幅器３９６とを備える。無線フロントエンド回路要素３９２は、アンテナ３６２および処理回路要素３７０に接続され得る。無線フロントエンド回路要素は、アンテナ３６２と処理回路要素３７０との間で通信される信号を調節するように設定され得る。無線フロントエンド回路要素３９２は、無線接続を介して他のネットワークノードまたはＷＤに送出されるべきであるデジタルデータを受信し得る。無線フロントエンド回路要素３９２は、デジタルデータを、フィルタ３９８および／または増幅器３９６の組合せを使用して適切なチャネルおよび帯域幅パラメータを有する無線信号に変換し得る。無線信号は、次いで、アンテナ３６２を介して送信され得る。同様に、データを受信するとき、アンテナ３６２は無線信号を収集し得、次いで、無線信号は無線フロントエンド回路要素３９２によってデジタルデータに変換される。デジタルデータは、処理回路要素３７０に受け渡され得る。他の実施形態では、インターフェースは、異なる構成要素および／または構成要素の異なる組合せを備え得る。
【００８５】
いくつかの代替実施形態では、ネットワークノード３６０は別個の無線フロントエンド回路要素３９２を含まないことがあり、代わりに、処理回路要素３７０は、無線フロントエンド回路要素を備え得、別個の無線フロントエンド回路要素３９２なしでアンテナ３６２に接続され得る。同様に、いくつかの実施形態では、ＲＦトランシーバ回路要素３７２の全部または一部が、インターフェース３９０の一部と見なされ得る。さらに他の実施形態では、インターフェース３９０は、無線ユニット（図示せず）の一部として、１つまたは複数のポートまたは端末３９４と、無線フロントエンド回路要素３９２と、ＲＦトランシーバ回路要素３７２とを含み得、インターフェース３９０は、デジタルユニット（図示せず）の一部であるベースバンド処理回路要素３７４と通信し得る。
【００８６】
アンテナ３６２は、無線信号を送り、および／または受信するように設定された、１つまたは複数のアンテナまたはアンテナアレイを含み得る。アンテナ３６２は、無線フロントエンド回路要素３９２に結合され得、データおよび／または信号を無線で送信および受信することが可能な任意のタイプのアンテナであり得る。いくつかの実施形態では、アンテナ３６２は、たとえば２ＧＨｚと６６ＧＨｚとの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ３６２は、ネットワークノード３６０とは別個であり得、インターフェースまたはポートを通してネットワークノード３６０に接続可能であり得る。
【００８７】
アンテナ３６２、インターフェース３９０、および／または処理回路要素３７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ３６２、インターフェース３９０、および／または処理回路要素３７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００８８】
電力回路要素３８７は、電力管理回路要素を備えるか、または電力管理回路要素に結合され得、本明細書で説明される機能性を実施するための電力を、ネットワークノード３６０の構成要素に供給するように設定される。電力回路要素３８７は、電源３８６から電力を受信し得る。電源３８６および／または電力回路要素３８７は、それぞれの構成要素に好適な形態で（たとえば、各それぞれの構成要素のために必要とされる電圧および電流レベルにおいて）、ネットワークノード３６０の様々な構成要素に電力を提供するように設定され得る。電源３８６は、電力回路要素３８７および／またはネットワークノード３６０中に含まれるか、あるいは電力回路要素３８７および／またはネットワークノード３６０の外部にあるかのいずれかであり得る。たとえば、ネットワークノード３６０は、電気ケーブルなどの入力回路要素またはインターフェースを介して外部電源（たとえば、電気コンセント）に接続可能であり得、それにより、外部電源は電力回路要素３８７に電力を供給する。さらなる例として、電源３８６は、電力回路要素３８７に接続された、または電力回路要素３８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００８９】
ネットワークノード３６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図３に示されている構成要素以外の追加の構成要素を含み得る。たとえば、ネットワークノード３６０は、ネットワークノード３６０への情報の入力を可能にするための、およびネットワークノード３６０からの情報の出力を可能にするための、ユーザインターフェース機器を含み得る。これは、ユーザが、ネットワークノード３６０のための診断、メンテナンス、修復、および他の管理機能を実施することを可能にし得る。
【００９０】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信、車両対車両（Ｖ２Ｖ）、車両対インフラストラクチャ（Ｖ２Ｉ）、車両対あらゆるモノ（Ｖ２Ｘ）のための３ＧＰＰ規格を実装することによって、デバイス間（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシン間（Ｍ２Ｍ）デバイスであり得、Ｍ２Ｍデバイスは、３ＧＰＰコンテキストではＭＴＣデバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデバイスまたはモバイル端末と呼ばれることもある。
【００９１】
示されているように、無線デバイス３１０は、アンテナ３１１と、インターフェース３１４と、処理回路要素３２０と、デバイス可読媒体３３０と、ユーザインターフェース機器３３２と、補助機器３３４と、電源３３６と、電力回路要素３３７とを含む。ＷＤ３１０は、ＷＤ３１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ３１０内の他の構成要素と同じまたは異なるチップまたはチップのセットに統合され得る。
【００９２】
アンテナ３１１は、無線信号を送り、および／または受信するように設定された、１つまたは複数のアンテナまたはアンテナアレイを含み得、インターフェース３１４に接続される。いくつかの代替実施形態では、アンテナ３１１は、ＷＤ３１０とは別個であり、インターフェースまたはポートを通してＷＤ３１０に接続可能であり得る。アンテナ３１１、インターフェース３１４、および／または処理回路要素３２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ３１１は、インターフェースと見なされ得る。
【００９３】
示されているように、インターフェース３１４は、無線フロントエンド回路要素３１２とアンテナ３１１とを備える。無線フロントエンド回路要素３１２は、１つまたは複数のフィルタ３１８と増幅器３１６とを備える。無線フロントエンド回路要素３１２は、アンテナ３１１および処理回路要素３２０に接続され、アンテナ３１１と処理回路要素３２０との間で通信される信号を調節するように設定される。無線フロントエンド回路要素３１２は、アンテナ３１１に結合されるか、またはアンテナ３１１の一部であり得る。いくつかの実施形態では、ＷＤ３１０は別個の無線フロントエンド回路要素３１２を含まないことがあり、むしろ、処理回路要素３２０は、無線フロントエンド回路要素を備え得、アンテナ３１１に接続され得る。同様に、いくつかの実施形態では、ＲＦトランシーバ回路要素３２２の一部または全部が、インターフェース３１４の一部と見なされ得る。無線フロントエンド回路要素３１２は、無線接続を介して他のネットワークノードまたはＷＤに送出されるべきであるデジタルデータを受信し得る。無線フロントエンド回路要素３１２は、デジタルデータを、フィルタ３１８および／または増幅器３１６の組合せを使用して適切なチャネルおよび帯域幅パラメータを有する無線信号に変換し得る。無線信号は、次いで、アンテナ３１１を介して送信され得る。同様に、データを受信するとき、アンテナ３１１は無線信号を収集し得、次いで、無線信号は無線フロントエンド回路要素３１２によってデジタルデータに変換される。デジタルデータは、処理回路要素３２０に受け渡され得る。他の実施形態では、インターフェースは、異なる構成要素および／または構成要素の異なる組合せを備え得る。
【００９４】
処理回路要素３２０は、単体で、またはデバイス可読媒体３３０などの他のＷＤ３１０構成要素と併せてのいずれかで、ＷＤ３１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素３２０は、本明細書で開示される機能性を提供するために、デバイス可読媒体３３０に記憶された命令、または処理回路要素３２０内のメモリに記憶された命令を実行し得る。
【００９５】
示されているように、処理回路要素３２０は、ＲＦトランシーバ回路要素３２２、ベースバンド処理回路要素３２４、およびアプリケーション処理回路要素３２６のうちの１つまたは複数を含む。他の実施形態では、処理回路要素は、異なる構成要素および／または構成要素の異なる組合せを備え得る。いくつかの実施形態では、ＷＤ３１０の処理回路要素３２０は、ＳＯＣを備え得る。いくつかの実施形態では、ＲＦトランシーバ回路要素３２２、ベースバンド処理回路要素３２４、およびアプリケーション処理回路要素３２６は、別個のチップまたはチップのセット上にあり得る。代替実施形態では、ベースバンド処理回路要素３２４およびアプリケーション処理回路要素３２６の一部または全部は１つのチップまたはチップのセットになるように組み合わせられ得、ＲＦトランシーバ回路要素３２２は別個のチップまたはチップのセット上にあり得る。さらに代替の実施形態では、ＲＦトランシーバ回路要素３２２およびベースバンド処理回路要素３２４の一部または全部は同じチップまたはチップのセット上にあり得、アプリケーション処理回路要素３２６は別個のチップまたはチップのセット上にあり得る。また他の代替実施形態では、ＲＦトランシーバ回路要素３２２、ベースバンド処理回路要素３２４、およびアプリケーション処理回路要素３２６の一部または全部は、同じチップまたはチップのセット中で組み合わせられ得る。いくつかの実施形態では、ＲＦトランシーバ回路要素３２２は、インターフェース３１４の一部であり得る。ＲＦトランシーバ回路要素３２２は、処理回路要素３２０のためのＲＦ信号を調節し得る。
【００９６】
いくつかの実施形態では、ＷＤによって実施されるものとして本明細書で説明される機能性の一部または全部は、デバイス可読媒体３３０に記憶された命令を実行する処理回路要素３２０によって提供され得、デバイス可読媒体３３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素３２０によって提供され得る。それらの特定の実施形態のいずれでも、デバイス可読記憶媒体に記憶された命令を実行するか否かにかかわらず、処理回路要素３２０は、説明される機能性を実施するように設定され得る。そのような機能性によって提供される利益は、処理回路要素３２０単独に、またはＷＤ３１０の他の構成要素に限定されないが、全体としてＷＤ３１０によって、ならびに／または概してエンドユーザおよび無線ネットワークによって、享受される。
【００９７】
処理回路要素３２０は、ＷＤによって実施されるものとして本明細書で説明される、任意の決定動作、計算動作、または同様の動作（たとえば、いくつかの取得動作）を実施するように設定され得る。処理回路要素３２０によって実施されるようなこれらの動作は、処理回路要素３２０によって取得された情報を、たとえば、取得された情報を他の情報に変換することによって、処理すること、取得された情報または変換された情報をＷＤ３１０によって記憶された情報と比較すること、ならびに／あるいは、取得された情報または変換された情報に基づいて、および前記処理が決定を行ったことの結果として、１つまたは複数の動作を実施することを含み得る。
【００９８】
デバイス可読媒体３３０は、コンピュータプログラム、ソフトウェア、論理、ルール、コード、テーブルなどのうちの１つまたは複数を含むアプリケーション、および／または処理回路要素３２０によって実行されることが可能な他の命令を記憶するように動作可能であり得る。デバイス可読媒体３３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素３２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素３２０およびデバイス可読媒体３３０は、統合されていると見なされ得る。
【００９９】
ユーザインターフェース機器３３２は、人間のユーザがＷＤ３１０と対話することを可能にする構成要素を提供し得る。そのような対話は、視覚、聴覚、触覚など、多くの形態のものであり得る。ユーザインターフェース機器３３２は、ユーザへの出力を作り出すように、およびユーザがＷＤ３１０への入力を提供することを可能にするように動作可能であり得る。対話のタイプは、ＷＤ３１０にインストールされるユーザインターフェース機器３３２のタイプに応じて変化し得る。たとえば、ＷＤ３１０がスマートフォンである場合、対話はタッチスクリーンを介したものであり得、ＷＤ３１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器３３２は、入力インターフェース、デバイスおよび回路、ならびに、出力インターフェース、デバイスおよび回路を含み得る。ユーザインターフェース機器３３２は、ＷＤ３１０への情報の入力を可能にするように設定され、処理回路要素３２０が入力情報を処理することを可能にするために、処理回路要素３２０に接続される。ユーザインターフェース機器３３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器３３２はまた、ＷＤ３１０からの情報の出力を可能にするように、および処理回路要素３２０がＷＤ３１０からの情報を出力することを可能にするように設定される。ユーザインターフェース機器３３２は、たとえば、スピーカー、ディスプレイ、振動回路要素、ＵＳＢポート、ヘッドフォンインターフェース、または他の出力回路要素を含み得る。ユーザインターフェース機器３３２の１つまたは複数の入力および出力インターフェース、デバイス、および回路を使用して、ＷＤ３１０は、エンドユーザおよび／または無線ネットワークと通信し、エンドユーザおよび／または無線ネットワークが本明細書で説明される機能性から利益を得ることを可能にし得る。
【０１００】
補助機器３３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器３３４の構成要素の包含およびタイプは、実施形態および／またはシナリオに応じて変化し得る。
【０１０１】
電源３３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ３１０は、電源３３６から、本明細書で説明または指示される任意の機能性を行うために電源３３６からの電力を必要とする、ＷＤ３１０の様々な部分に電力を配信するための、電力回路要素３３７をさらに備え得る。電力回路要素３３７は、いくつかの実施形態では、電力管理回路要素を備え得る。電力回路要素３３７は、追加または代替として、外部電源から電力を受信するように動作可能であり得、その場合、ＷＤ３１０は、電力ケーブルなどの入力回路要素またはインターフェースを介して（電気コンセントなどの）外部電源に接続可能であり得る。電力回路要素３３７はまた、いくつかの実施形態では、外部電源から電源３３６に電力を配信するように動作可能であり得る。これは、たとえば、電源３３６の充電のためのものであり得る。電力回路要素３３７は、電源３３６からの電力に対して、その電力を、電力が供給されるＷＤ３１０のそれぞれの構成要素に好適であるようにするために、任意のフォーマッティング、変換、または他の修正を実施し得る。
【０１０２】
図４は、いくつかの実施形態によるユーザ機器を示す。
【０１０３】
図４は、本明細書で説明される様々な態様による、ＵＥの一実施形態を示す。ＵＥ４００は、上記の実施形態で説明された無線デバイスであり得る。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイス（たとえば、スマートスプリンクラーコントローラ）を表し得る。代替的に、ＵＥは、エンドユーザへの販売、またはエンドユーザによる動作を意図されないが、ユーザに関連付けられるか、またはユーザの利益のために動作され得る、デバイス（たとえば、スマート電力計）を表し得る。ＵＥ４００は、ＮＢ−ＩｏＴ  ＵＥ、マシン型通信（ＭＴＣ）ＵＥ、および／または拡張ＭＴＣ（ｅＭＴＣ）ＵＥを含む、第３世代パートナーシッププロジェクト（３ＧＰＰ）によって識別される任意のＵＥであり得る。図４に示されているＵＥ４００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図４はＵＥであるが、本明細書で説明される構成要素は、ＷＤに等しく適用可能であり、その逆も同様である。
【０１０４】
図４では、ＵＥ４００は、入出力インターフェース４０５、無線周波数（ＲＦ）インターフェース４０９、ネットワーク接続インターフェース４１１、ランダムアクセスメモリ（ＲＡＭ）４１７と読取り専用メモリ（ＲＯＭ）４１９と記憶媒体４２１などとを含むメモリ４１５、通信サブシステム４３１、電源４１３、および／または他の構成要素、あるいはそれらの任意の組合せに動作可能に結合された、処理回路要素４０１を含む。記憶媒体４２１は、オペレーティングシステム４２３と、アプリケーションプログラム４２５と、データ４２７とを含む。他の実施形態では、記憶媒体４２１は、他の同様のタイプの情報を含み得る。いくつかのＵＥは、図４に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【０１０５】
図４では、処理回路要素４０１は、コンピュータ命令およびデータを処理するように設定され得る。処理回路要素４０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素４０１は、２つの中央処理ユニット（ＣＰＵ）を含み得る。データは、コンピュータによる使用に好適な形式での情報であり得る。
【０１０６】
図示された実施形態では、入出力インターフェース４０５は、入力デバイス、出力デバイス、または入出力デバイスに通信インターフェースを提供するように設定され得る。ＵＥ４００は、入出力インターフェース４０５を介して出力デバイスを使用するように設定され得る。出力デバイスは、入力デバイスと同じタイプのインターフェースポートを使用し得る。たとえば、ＵＥ４００への入力およびＵＥ４００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ４００は、ユーザがＵＥ４００に情報をキャプチャすることを可能にするために、入出力インターフェース４０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【０１０７】
図４では、ＲＦインターフェース４０９は、送信機、受信機、およびアンテナなど、ＲＦ構成要素に通信インターフェースを提供するように設定され得る。ネットワーク接続インターフェース４１１は、ネットワーク４４３ａに通信インターフェースを提供するように設定され得る。ネットワーク４４３ａは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク４４３ａは、Ｗｉ−Ｆｉネットワークを備え得る。ネットワーク接続インターフェース４１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース４１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、または、代替的に、別個に実装され得る。
【０１０８】
ＲＡＭ４１７は、オペレーティングシステム、アプリケーションプログラム、およびデバイスドライバなど、ソフトウェアプログラムの実行中に、データまたはコンピュータ命令の記憶またはキャッシングを提供するために、バス４０２を介して処理回路要素４０１にインターフェースするように設定され得る。ＲＯＭ４１９は、処理回路要素４０１にコンピュータ命令またはデータを提供するように設定され得る。たとえば、ＲＯＭ４１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体４２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体４２１は、オペレーティングシステム４２３と、ウェブブラウザアプリケーション、ウィジェットまたはガジェットエンジン、あるいは別のアプリケーションなどのアプリケーションプログラム４２５と、データファイル４２７とを含むように設定され得る。記憶媒体４２１は、ＵＥ４００による使用のために、多様な様々なオペレーティングシステムまたはオペレーティングシステムの組合せのうちのいずれかを記憶し得る。
【０１０９】
記憶媒体４２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、またはそれらの任意の組合せなど、いくつかの物理ドライブユニットを含むように設定され得る。記憶媒体４２１は、ＵＥ４００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体４２１中に有形に具現され得、記憶媒体４２１はデバイス可読媒体を備え得る。
【０１１０】
図４では、処理回路要素４０１は、通信サブシステム４３１を使用してネットワーク４４３ｂと通信するように設定され得る。ネットワーク４４３ａとネットワーク４４３ｂとは、同じ１つまたは複数のネットワークまたは異なる１つまたは複数のネットワークであり得る。通信サブシステム４３１は、ネットワーク４４３ｂと通信するために使用される１つまたは複数のトランシーバを含むように設定され得る。たとえば、通信サブシステム４３１は、ＩＥＥＥ８０２．１１、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機４３３および／または受信機４３５を含み得る。さらに、各トランシーバの送信機４３３および受信機４３５は、回路構成要素、ソフトウェアまたはファームウェアを共有し得るか、または、代替的に、別個に実装され得る。
【０１１１】
示されている実施形態では、通信サブシステム４３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム４３１は、セルラー通信と、Ｗｉ−Ｆｉ通信と、Ｂｌｕｅｔｏｏｔｈ通信と、ＧＰＳ通信とを含み得る。ネットワーク４４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワークまたはそれらの任意の組合せなど、有線および／または無線ネットワークを包含し得る。たとえば、ネットワーク４４３ｂは、セルラーネットワーク、Ｗｉ−Ｆｉネットワーク、および／またはニアフィールドネットワークであり得る。電源４１３は、ＵＥ４００の構成要素に交流（ＡＣ）または直流（ＤＣ）電力を提供するように設定され得る。
【０１１２】
本明細書で説明される特徴、利益および／または機能は、ＵＥ４００の構成要素のうちの１つにおいて実装されるか、またはＵＥ４００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム４３１は、本明細書で説明される構成要素のうちのいずれかを含むように設定され得る。さらに、処理回路要素４０１は、バス４０２上でそのような構成要素のうちのいずれかと通信するように設定され得る。別の例では、そのような構成要素のうちのいずれかは、処理回路要素４０１によって実行されたとき、本明細書で説明される対応する機能を実施する、メモリに記憶されたプログラム命令によって表され得る。別の例では、そのような構成要素のうちのいずれかの機能性は、処理回路要素４０１と通信サブシステム４３１との間で分割され得る。別の例では、そのような構成要素のうちのいずれかの非計算集約的機能が、ソフトウェアまたはファームウェアで実装され得、計算集約的機能がハードウェアで実装され得る。
【０１１３】
図５は、いくつかの実施形態による仮想化環境を示す。
【０１１４】
図５は、いくつかの実施形態によって実装される機能が仮想化され得る、仮想化環境５００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【０１１５】
いくつかの実施形態では、本明細書で説明される機能の一部または全部は、ハードウェアノード５３０のうちの１つまたは複数によってホストされる１つまたは複数の仮想環境５００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【０１１６】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション５２０によって実装され得る。アプリケーション５２０は、処理回路要素５６０とメモリ５９０−１とを備えるハードウェア５３０を提供する、仮想化環境５００において稼働される。メモリ５９０−１は、処理回路要素５６０によって実行可能な命令５９５を含んでおり、それにより、アプリケーション５２０は、本明細書で開示される特徴、利益、および／または機能のうちの１つまたは複数を提供するように動作可能である。
【０１１７】
仮想化環境５００は、１つまたは複数のプロセッサのセットまたは処理回路要素５６０を備える、汎用または専用のネットワークハードウェアデバイス５３０を備え、１つまたは複数のプロセッサのセットまたは処理回路要素５６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ５９０−１を備え得、メモリ５９０−１は、処理回路要素５６０によって実行される命令５９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）５７０を備え得、ネットワークインターフェースコントローラ（ＮＩＣ）５７０は物理ネットワークインターフェース５８０を含む。各ハードウェアデバイスは、処理回路要素５６０によって実行可能なソフトウェア５９５および／または命令を記憶した、非一時的、永続的、機械可読記憶媒体５９０−２をも含み得る。ソフトウェア５９５は、１つまたは複数の（ハイパーバイザとも呼ばれる）仮想化レイヤ５５０をインスタンス化するためのソフトウェア、仮想マシン５４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１１８】
仮想マシン５４０は、仮想処理、仮想メモリ、仮想ネットワーキングまたはインターフェース、および仮想記憶域を備え、対応する仮想化レイヤ５５０またはハイパーバイザによって稼働され得る。仮想アプライアンス５２０の事例の異なる実施形態が、仮想マシン５４０のうちの１つまたは複数上で実装され得、実装は異なるやり方で行われ得る。
【０１１９】
動作中に、処理回路要素５６０は、ソフトウェア５９５を実行してハイパーバイザまたは仮想化レイヤ５５０をインスタンス化し、ハイパーバイザまたは仮想化レイヤ５５０は、時々、仮想マシンモニタ（ＶＭＭ）と呼ばれることがある。仮想化レイヤ５５０は、仮想マシン５４０に、ネットワーキングハードウェアのように見える仮想動作プラットフォームを提示し得る。
【０１２０】
図５に示されているように、ハードウェア５３０は、一般的なまたは特定の構成要素をもつスタンドアロンネットワークノードであり得る。ハードウェア５３０は、アンテナ５２２５を備え得、仮想化を介していくつかの機能を実装し得る。代替的に、ハードウェア５３０は、多くのハードウェアノードが協働し、特に、アプリケーション５２０のライフサイクル管理を監督する、管理およびオーケストレーション（ＭＡＮＯ）５１００を介して管理される、（たとえば、データセンターまたは顧客構内機器（ＣＰＥ）の場合のような）ハードウェアのより大きいクラスタの一部であり得る。
【０１２１】
ハードウェアの仮想化は、いくつかのコンテキストにおいて、ネットワーク機能仮想化（ＮＦＶ）と呼ばれる。ＮＦＶは、多くのネットワーク機器タイプを、データセンターおよび顧客構内機器中に位置し得る、業界標準高ボリュームサーバハードウェア、物理スイッチ、および物理記憶域上にコンソリデートするために使用され得る。
【０１２２】
ＮＦＶのコンテキストでは、仮想マシン５４０は、プログラムを、それらのプログラムが、物理的な仮想化されていないマシン上で実行しているかのように稼働する、物理マシンのソフトウェア実装形態であり得る。仮想マシン５４０の各々と、その仮想マシンに専用のハードウェアであろうと、および／またはその仮想マシンによって仮想マシン５４０のうちの他の仮想マシンと共有されるハードウェアであろうと、その仮想マシンを実行するハードウェア５３０のその一部とは、別個の仮想ネットワークエレメント（ＶＮＥ）を形成する。
【０１２３】
さらにＮＦＶのコンテキストでは、仮想ネットワーク機能（ＶＮＦ）は、ハードウェアネットワーキングインフラストラクチャ５３０の上の１つまたは複数の仮想マシン５４０において稼働する固有のネットワーク機能をハンドリングすることを担当し、図５中のアプリケーション５２０に対応する。
【０１２４】
いくつかの実施形態では、各々、１つまたは複数の送信機５２２０と１つまたは複数の受信機５２１０とを含む、１つまたは複数の無線ユニット５２００は、１つまたは複数のアンテナ５２２５に結合され得る。無線ユニット５２００は、１つまたは複数の適切なネットワークインターフェースを介してハードウェアノード５３０と直接通信し得、無線アクセスノードまたは基地局など、無線能力をもつ仮想ノードを提供するために仮想構成要素と組み合わせて使用され得る。
【０１２５】
いくつかの実施形態では、何らかのシグナリングが、ハードウェアノード５３０と無線ユニット５２００との間の通信のために代替的に使用され得る制御システム５２３０を使用して、実現され得る。
【０１２６】
図６は、いくつかの実施形態による、中間ネットワークを介してホストコンピュータに接続された通信ネットワークを示す。
【０１２７】
図６を参照すると、一実施形態によれば、通信システムが、無線アクセスネットワークなどのアクセスネットワーク６１１とコアネットワーク６１４とを備える、３ＧＰＰタイプセルラーネットワークなどの通信ネットワーク６１０を含む。アクセスネットワーク６１１は、ＮＢ、ｅＮＢ、ｇＮＢまたは他のタイプの無線アクセスポイントなど、複数の基地局６１２ａ、６１２ｂ、６１２ｃを備え、各々が、対応するカバレッジエリア６１３ａ、６１３ｂ、６１３ｃを規定する。各基地局６１２ａ、６１２ｂ、６１２ｃは、有線接続または無線接続６１５上でコアネットワーク６１４に接続可能である。カバレッジエリア６１３ｃ中に位置する第１のＵＥ６９１が、対応する基地局６１２ｃに無線で接続するか、または対応する基地局６１２ｃによってページングされるように設定される。カバレッジエリア６１３ａ中の第２のＵＥ６９２が、対応する基地局６１２ａに無線で接続可能である。この例では複数のＵＥ６９１、６９２が示されているが、開示される実施形態は、唯一のＵＥがカバレッジエリア中にある状況、または唯一のＵＥが対応する基地局６１２に接続している状況に等しく適用可能である。
【０１２８】
通信ネットワーク６１０は、それ自体、ホストコンピュータ６３０に接続され、ホストコンピュータ６３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ６３０は、サービスプロバイダの所有または制御下にあり得、あるいはサービスプロバイダによってまたはサービスプロバイダに代わって動作され得る。通信ネットワーク６１０とホストコンピュータ６３０との間の接続６２１および６２２は、コアネットワーク６１４からホストコンピュータ６３０に直接延び得るか、または随意の中間ネットワーク６２０を介して進み得る。中間ネットワーク６２０は、パブリックネットワーク、プライベートネットワーク、またはホストされたネットワークのうちの１つ、またはそれらのうちの２つ以上の組合せであり得、中間ネットワーク６２０は、もしあれば、バックボーンネットワークまたはインターネットであり得、特に、中間ネットワーク６２０は、２つまたはそれ以上のサブネットワーク（図示せず）を備え得る。
【０１２９】
図６の通信システムは全体として、接続されたＵＥ６９１、６９２とホストコンピュータ６３０との間のコネクティビティを可能にする。コネクティビティは、オーバーザトップ（ＯＴＴ）接続６５０として説明され得る。ホストコンピュータ６３０および接続されたＵＥ６９１、６９２は、アクセスネットワーク６１１、コアネットワーク６１４、任意の中間ネットワーク６２０、および考えられるさらなるインフラストラクチャ（図示せず）を媒介として使用して、ＯＴＴ接続６５０を介して、データおよび／またはシグナリングを通信するように設定される。ＯＴＴ接続６５０は、ＯＴＴ接続６５０が通過する、参加する通信デバイスが、アップリンクおよびダウンリンク通信のルーティングに気づいていないという意味で、透過的であり得る。たとえば、基地局６１２は、接続されたＵＥ６９１にフォワーディング（たとえば、ハンドオーバ）されるべき、ホストコンピュータ６３０から発生したデータを伴う着信ダウンリンク通信の過去のルーティングについて、通知されないことがあるかまたは通知される必要がない。同様に、基地局６１２は、ＵＥ６９１から発生してホストコンピュータ６３０に向かう発信アップリンク通信の将来ルーティングに気づいている必要がない。
【０１３０】
図７は、いくつかの実施形態による、部分的無線接続上で基地局を介してユーザ機器と通信するホストコンピュータを示す。
【０１３１】
次に、一実施形態による、前の段落において説明されたＵＥ、基地局およびホストコンピュータの例示的な実装形態が、図７を参照しながら説明される。通信システム７００では、ホストコンピュータ７１０が、通信システム７００の異なる通信デバイスのインターフェースとの有線接続または無線接続をセットアップおよび維持するように設定された通信インターフェース７１６を含む、ハードウェア７１５を備える。ホストコンピュータ７１０は、記憶能力および／または処理能力を有し得る、処理回路要素７１８をさらに備える。特に、処理回路要素７１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ７１０は、ホストコンピュータ７１０に記憶されるかまたはホストコンピュータ７１０によってアクセス可能であり、処理回路要素７１８によって実行可能である、ソフトウェア７１１をさらに備える。ソフトウェア７１１は、ホストアプリケーション７１２を含む。ホストアプリケーション７１２は、ＵＥ７３０およびホストコンピュータ７１０において終端するＯＴＴ接続７５０を介して接続するＵＥ７３０など、リモートユーザにサービスを提供するように動作可能であり得る。リモートユーザにサービスを提供する際に、ホストアプリケーション７１２は、ＯＴＴ接続７５０を使用して送信されるユーザデータを提供し得る。
【０１３２】
通信システム７００は、通信システム中に提供される基地局７２０をさらに含み、基地局７２０は、基地局７２０がホストコンピュータ７１０およびＵＥ７３０と通信することを可能にするハードウェア７２５を備える。ハードウェア７２５は、通信システム７００の異なる通信デバイスのインターフェースとの有線接続または無線接続をセットアップおよび維持するための通信インターフェース７２６、ならびに基地局７２０によってサーブされるカバレッジエリア（図７に図示せず）中に位置するＵＥ７３０との少なくとも無線接続７７０をセットアップおよび維持するための無線インターフェース７２７を含み得る。通信インターフェース７２６は、ホストコンピュータ７１０への接続７６０を容易にするように設定され得る。接続７６０は直接であり得るか、あるいは、接続７６０は、通信システムのコアネットワーク（図７に図示せず）を、および／または通信システムの外部の１つまたは複数の中間ネットワークを通過し得る。図示の実施形態では、基地局７２０のハードウェア７２５は、処理回路要素７２８をさらに含み、処理回路要素７２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局７２０は、内部的に記憶されるかまたは外部接続を介してアクセス可能なソフトウェア７２１をさらに有する。
【０１３３】
通信システム７００は、すでに言及されたＵＥ７３０をさらに含む。ＵＥ７３０のハードウェア７３５は、ＵＥ７３０が現在位置するカバレッジエリアをサーブする基地局との無線接続７７０をセットアップおよび維持するように設定された、無線インターフェース７３７を含み得る。ＵＥ７３０のハードウェア７３５は、処理回路要素７３８をさらに含み、処理回路要素７３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ７３０は、ＵＥ７３０に記憶されるかまたはＵＥ７３０によってアクセス可能であり、処理回路要素７３８によって実行可能である、ソフトウェア７３１をさらに備える。ソフトウェア７３１は、クライアントアプリケーション７３２を含む。クライアントアプリケーション７３２は、ホストコンピュータ７１０のサポートのもとに、ＵＥ７３０を介して人間のまたは人間でないユーザにサービスを提供するように動作可能であり得る。ホストコンピュータ７１０では、実行しているホストアプリケーション７１２は、ＵＥ７３０およびホストコンピュータ７１０において終端するＯＴＴ接続７５０を介して、実行しているクライアントアプリケーション７３２と通信し得る。ユーザにサービスを提供する際に、クライアントアプリケーション７３２は、ホストアプリケーション７１２から要求データを受信し、要求データに応答してユーザデータを提供し得る。ＯＴＴ接続７５０は、要求データとユーザデータの両方を転送し得る。クライアントアプリケーション７３２は、クライアントアプリケーション７３２が提供するユーザデータを生成するためにユーザと対話し得る。
【０１３４】
図７に示されているホストコンピュータ７１０、基地局７２０およびＵＥ７３０は、それぞれ、図６のホストコンピュータ６３０、基地局６１２ａ、６１２ｂ、６１２ｃのうちの１つ、およびＵＥ６９１、６９２のうちの１つと同様または同等であり得ることに留意されたい。つまり、これらのエンティティの内部の働きは、図７に示されているものであり得、別個に、周囲のネットワークトポロジーは、図６のものであり得る。
【０１３５】
図７では、ＯＴＴ接続７５０は、仲介デバイスとこれらのデバイスを介したメッセージの正確なルーティングとへの明示的言及なしに、基地局７２０を介したホストコンピュータ７１０とＵＥ７３０との間の通信を示すために抽象的に描かれている。ネットワークインフラストラクチャが、ルーティングを決定し得、ネットワークインフラストラクチャは、ＵＥ７３０からまたはホストコンピュータ７１０を動作させるサービスプロバイダから、またはその両方からルーティングを隠すように設定され得る。ＯＴＴ接続７５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【０１３６】
ＵＥ７３０と基地局７２０との間の無線接続７７０は、本開示全体にわたって説明される実施形態の教示に従う。様々な実施形態のうちの１つまたは複数は、無線接続７７０が最後のセグメントを形成するＯＴＴ接続７５０を使用して、ＵＥ７３０に提供されるＯＴＴサービスの性能を改善する。より正確には、これらの実施形態の教示は、無線デバイスが無線デバイスのＢＷＰ上で送信を受信しない大量の時間を費やすことなしに、システム情報の取出しを改善し、それにより、無線デバイスの改善された効率などの利益を提供し得る。
【０１３７】
１つまたは複数の実施形態が改善する、データレート、レイテンシおよび他のファクタを監視する目的での、測定プロシージャが提供され得る。測定結果の変動に応答して、ホストコンピュータ７１０とＵＥ７３０との間のＯＴＴ接続７５０を再設定するための随意のネットワーク機能性がさらにあり得る。測定プロシージャおよび／またはＯＴＴ接続７５０を再設定するためのネットワーク機能性は、ホストコンピュータ７１０のソフトウェア７１１およびハードウェア７１５でまたはＵＥ７３０のソフトウェア７３１およびハードウェア７３５で、またはその両方で実装され得る。実施形態では、ＯＴＴ接続７５０が通過する通信デバイスにおいてまたはそれに関連して、センサー（図示せず）が展開され得、センサーは、上記で例示された監視された量の値を供給すること、またはソフトウェア７１１、７３１が監視された量を算出または推定し得る他の物理量の値を供給することによって、測定プロシージャに参加し得る。ＯＴＴ接続７５０の再設定は、メッセージフォーマット、再送信セッティング、好ましいルーティングなどを含み得、再設定は、基地局７２０に影響を及ぼす必要がなく、再設定は、基地局７２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ７１０の測定を容易にするプロプライエタリＵＥシグナリングを伴い得る。測定は、ソフトウェア７１１および７３１が、ソフトウェア７１１および７３１が伝搬時間、エラーなどを監視する間にＯＴＴ接続７５０を使用して、メッセージ、特に空のまたは「ダミー」メッセージが送信されることを引き起こすことにおいて、実装され得る。
【０１３８】
図８は、いくつかの実施形態による、ホストコンピュータと、基地局と、ユーザ機器とを含む通信システムにおいて実装される方法を示す。
【０１３９】
図８は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図８への図面参照のみがこのセクションに含まれる。ステップ８１０において、ホストコンピュータはユーザデータを提供する。ステップ８１０の（随意であり得る）サブステップ８１１において、ホストコンピュータは、ホストアプリケーションを実行することによって、ユーザデータを提供する。ステップ８２０において、ホストコンピュータは、ＵＥにユーザデータを搬送する送信を始動する。（随意であり得る）ステップ８３０において、基地局は、本開示全体にわたって説明される実施形態の教示に従って、ホストコンピュータが始動した送信において搬送されたユーザデータをＵＥに送信する。（また、随意であり得る）ステップ８４０において、ＵＥは、ホストコンピュータによって実行されるホストアプリケーションに関連付けられたクライアントアプリケーションを実行する。
【０１４０】
図９は、いくつかの実施形態による、ホストコンピュータと、基地局と、ユーザ機器とを含む通信システムにおいて実装される方法を示す。
【０１４１】
図９は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図９への図面参照のみがこのセクションに含まれる。方法のステップ９１０において、ホストコンピュータはユーザデータを提供する。随意のサブステップ（図示せず）において、ホストコンピュータは、ホストアプリケーションを実行することによって、ユーザデータを提供する。ステップ９２０において、ホストコンピュータは、ＵＥにユーザデータを搬送する送信を始動する。送信は、本開示全体にわたって説明される実施形態の教示に従って、基地局を介して進み得る。（随意であり得る）ステップ９３０において、ＵＥは、送信において搬送されたユーザデータを受信する。
【０１４２】
図１０は、いくつかの実施形態による、ホストコンピュータと、基地局と、ユーザ機器とを含む通信システムにおいて実装される方法を示す。
【０１４３】
図１０は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図１０への図面参照のみがこのセクションに含まれる。（随意であり得る）ステップ１０１０において、ＵＥは、ホストコンピュータによって提供された入力データを受信する。追加または代替として、ステップ１０２０において、ＵＥはユーザデータを提供する。ステップ１０２０の（随意であり得る）サブステップ１０２１において、ＵＥは、クライアントアプリケーションを実行することによって、ユーザデータを提供する。ステップ１０１０の（随意であり得る）サブステップ１０１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１０３０において、ホストコンピュータへのユーザデータの送信を始動する。方法のステップ１０４０において、ホストコンピュータは、本開示全体にわたって説明される実施形態の教示に従って、ＵＥから送信されたユーザデータを受信する。
【０１４４】
図１１は、いくつかの実施形態による、ホストコンピュータと、基地局と、ユーザ機器とを含む通信システムにおいて実装される方法を示す。
【０１４５】
図１１は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図１１への図面参照のみがこのセクションに含まれる。（随意であり得る）ステップ１１１０において、本開示全体にわたって説明される実施形態の教示に従って、基地局は、ＵＥからユーザデータを受信する。（随意であり得る）ステップ１１２０において、基地局は、ホストコンピュータへの、受信されたユーザデータの送信を始動する。（随意であり得る）ステップ１１３０において、ホストコンピュータは、基地局によって始動された送信において搬送されたユーザデータを受信する。
【０１４６】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１４７】
図１２は、いくつかの実施形態による方法を示す。
【０１４８】
図１２は、基地局から今後のシステム情報（ＳＩ）更新の通知を受信するための、無線デバイスによって実施される方法を図示し、特定の実施形態によれば、無線デバイスは、第１のキャリア上の物理リソースの連続サブセットを使用して基地局と通信しており、方法はステップ１２０２において始まり、無線デバイスが監視するように設定されている、ＳＩ修正期間中の複数のページングオケージョンのサブセットの指示を取得し、ＳＩの今後の更新に応答して、基地局は、ＳＩ修正期間中の複数のページングオケージョンの各々の上で通知を送信するように設定され、方法はステップ１２０４に進み、今後のＳＩ更新の通知について複数のページングオケージョンのサブセットを監視する。
【０１４９】
図１３は、いくつかの実施形態による方法を示す。
【０１５０】
図１３は、基地局からの更新されたシステム情報（ＳＩ）のための、無線デバイスによって実施される方法を図示し、特定の実施形態によれば、無線デバイスは、第１のキャリア上の物理リソースの連続サブセットを使用して基地局と通信しており、方法はステップ１３０２において始まり、基地局から今後のＳＩ更新の指示を受信し、指示は、物理リソースの連続サブセット内の物理リソース上で受信される。
【０１５１】
図１４は、いくつかの実施形態による方法を示す。
【０１５２】
図１４は、無線デバイスに更新されたシステム情報（ＳＩ）の通知を送信するための、基地局によって実施される方法を図示し、特定の実施形態によれば、無線デバイスは、第１のキャリア上の物理リソースの連続サブセットを使用して基地局と通信しており、方法はステップ１４０２において始まり、ＳＩの今後の更新に応答して、ＳＩ修正期間内に複数のページングオケージョンの各々の上でＳＩの今後の更新を指示する通知を送信し、次いで、方法はステップ１４０４に進み、無線デバイスが監視するように設定されている、ＳＩ修正期間中の複数のページングオケージョンのサブセットの指示を取得し、次いで、方法はステップ１４０６に進み、ページングオケージョンのサブセット中に、物理リソースの連続サブセット上で無線デバイスへの送信をスケジュールすることを抑制する。
【０１５３】
図１５は、いくつかの実施形態による方法を示す。
【０１５４】
図１５は、無線デバイスに更新されたシステム情報（ＳＩ）を送信するための、基地局によって実施される方法を図示し、特定の実施形態によれば、無線デバイスは、第１のキャリア上の物理リソースの連続サブセットを使用して基地局と通信しており、方法はステップ１５０２において始まり、無線デバイスに今後のＳＩ更新の指示を送信し、指示は、物理リソースの連続サブセット内の物理リソース上で送信される。
【０１５５】
図１６は、いくつかの実施形態による仮想化装置を示す。
【０１５６】
図１６は、無線ネットワーク（たとえば、図３に示されている無線ネットワーク）における無線デバイス１６００の概略ブロック図を示す。装置は、無線デバイスまたはネットワークノード（たとえば、図３に示されている無線デバイス３１０またはネットワークノード３６０）において実装され得る。装置１６００は、図１２に関して説明された例示的な方法、および、場合によっては、本明細書で開示される任意の他のプロセスまたは方法を行うように動作可能である。また、図１２の方法は、必ずしも装置１６００のみによって行われるとは限らないことを理解されたい。その方法の少なくともいくつかの動作は、１つまたは複数の他のエンティティによって実施され得る。
【０１５７】
仮想装置１６００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、取得ユニット１６０２および監視ユニット１６０４、ならびに装置１６００の任意の他の好適なユニットに、本開示の１つまたは複数の実施形態による、対応する機能を実施させるために使用され得る。
【０１５８】
図１６に示されているように、装置１６００は、取得ユニット１６０２と監視ユニット１６０４とを含む。取得ユニット１６０２は、無線デバイスが監視するように設定されている、ＳＩ修正期間中の複数のページングオケージョンのサブセットの指示を取得するように設定され得、ＳＩの今後の更新に応答して、基地局は、ＳＩ修正期間中の複数のページングオケージョンの各々の上で通知を送信するように設定される。監視ユニット１６０４は、今後のＳＩ更新の通知について複数のページングオケージョンのサブセットを監視するように設定され得る。
【０１５９】
図１７は、いくつかの実施形態による仮想化装置を示す。
【０１６０】
図１７は、無線ネットワーク（たとえば、図３に示されている無線ネットワーク）における無線デバイス１７００の概略ブロック図を示す。装置は、無線デバイスまたはネットワークノード（たとえば、図３に示されている無線デバイス３１０またはネットワークノード３６０）において実装され得る。装置１７００は、図１３に関して説明された例示的な方法、および、場合によっては、本明細書で開示される任意の他のプロセスまたは方法を行うように動作可能である。また、図１３の方法は、必ずしも装置１７００のみによって行われるとは限らないことを理解されたい。その方法の少なくともいくつかの動作は、１つまたは複数の他のエンティティによって実施され得る。
【０１６１】
仮想装置１７００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、受信ユニット１７０２、および装置１７００の任意の他の好適なユニットに、本開示の１つまたは複数の実施形態による、対応する機能を実施させるために使用され得る。
【０１６２】
図１７に示されているように、装置１７００は、受信ユニット１７０２を含む。受信ユニット１７０２は、基地局から今後のＳＩ更新の指示を受信するように設定され得、指示は、物理リソースの連続サブセット内の物理リソース上で受信される。
【０１６３】
図１８は、いくつかの実施形態による仮想化装置を示す。
【０１６４】
図１８は、無線ネットワーク（たとえば、図３に示されている無線ネットワーク）における無線デバイス１８００の概略ブロック図を示す。装置は、無線デバイスまたはネットワークノード（たとえば、図３に示されている無線デバイス３１０またはネットワークノード３６０）において実装され得る。装置１８００は、図１４に関して説明された例示的な方法、および、場合によっては、本明細書で開示される任意の他のプロセスまたは方法を行うように動作可能である。また、図１４の方法は、必ずしも装置１８００のみによって行われるとは限らないことを理解されたい。その方法の少なくともいくつかの動作は、１つまたは複数の他のエンティティによって実施され得る。
【０１６５】
仮想装置１８００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、送信ユニット１８０２、取得ユニット１８０４および抑制ユニット１８０６、ならびに装置１８００の任意の他の好適なユニットに、本開示の１つまたは複数の実施形態による、対応する機能を実施させるために使用され得る。
【０１６６】
図１８に示されているように、装置１８００は、送信ユニット１８０２と取得ユニット１８０４と抑制ユニット１８０６とを含む。送信ユニット１８０２は、ＳＩの今後の更新に応答して、ＳＩ修正期間内に複数のページングオケージョンの各々の上でＳＩの今後の更新を指示する通知を送信するように設定され得る。取得ユニット１８０４は、無線デバイスが監視するように設定されている、ＳＩ修正期間中の複数のページングオケージョンのサブセットの指示を取得するように設定され得る。抑制ユニット１８０６は、ページングオケージョンのサブセット中に、物理リソースの連続サブセット上で無線デバイスへの送信をスケジュールすることを抑制するように設定され得る。
【０１６７】
図１９は、いくつかの実施形態による仮想化装置を示す。
【０１６８】
図１９は、無線ネットワーク（たとえば、図３に示されている無線ネットワーク）における無線デバイス１９００の概略ブロック図を示す。装置は、無線デバイスまたはネットワークノード（たとえば、図３に示されている無線デバイス３１０またはネットワークノード３６０）において実装され得る。装置１９００は、図１５に関して説明された例示的な方法、および、場合によっては、本明細書で開示される任意の他のプロセスまたは方法を行うように動作可能である。また、図１５の方法は、必ずしも装置１９００のみによって行われるとは限らないことを理解されたい。その方法の少なくともいくつかの動作は、１つまたは複数の他のエンティティによって実施され得る。
【０１６９】
仮想装置１９００は、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを備え得る。処理回路要素は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、いくつかの実施形態では、１つまたは複数の通信および／またはデータ通信プロトコルを実行するためのプログラム命令、ならびに本明細書で説明される技法のうちの１つまたは複数を行うための命令を含む。いくつかの実装形態では、処理回路要素は、送信ユニット１９０２、および装置１９００の任意の他の好適なユニットに、本開示の１つまたは複数の実施形態による、対応する機能を実施させるために使用され得る。
【０１７０】
図１９に示されているように、装置１９００は、送信ユニット１９０２を含む。送信ユニット１９０２は、無線デバイスに今後のＳＩ更新の指示を送信するように設定され得、指示は、物理リソースの連続サブセット内の物理リソース上で送信される。
【０１７１】
ユニットという用語は、エレクトロニクス、電気デバイス、および／または電子デバイスの分野での通常の意味を有し得、たとえば、本明細書で説明されるものなど、それぞれのタスク、プロシージャ、算出、出力、および／または表示機能を行うための、電気および／または電子回路要素、デバイス、モジュール、プロセッサ、メモリ、論理固体および／または個別デバイス、コンピュータプログラムまたは命令などを含み得る。
【０１７２】
グループＡの実施形態
１．  基地局から今後のシステム情報（ＳＩ）更新の通知を受信するための、無線デバイスによって実施される方法であって、無線デバイスが、第１のキャリア上の物理リソースの連続サブセットを使用して基地局と通信しており、方法は、
−  無線デバイスが監視するように設定されている、ＳＩ修正期間中の複数のページングオケージョンのサブセットの指示を取得することであって、ＳＩの今後の更新に応答して、基地局が、ＳＩ修正期間中の複数のページングオケージョンの各々の上で通知を送信するように設定されている、指示を取得することと、
−  今後のＳＩ更新の通知について複数のページングオケージョンのサブセットを監視することと
を含む、方法。
２．  取得するステップが、
ａ．基地局から指示を受信すること
を含む、実施形態１に記載の方法。
３．  取得するステップが、
ａ．無線デバイスに関連付けられたカテゴリーまたは能力情報に基づいて指示を決定すること
を含む、実施形態１に記載の方法。
４．  ＳＩ修正期間中の複数のページングオケージョンのサブセットが、ＳＩ修正期間中の最後のページングオケージョンである、実施形態１から３のいずれか１つに記載の方法。
５．  ＳＩ修正期間中の複数のページングオケージョンのサブセットが、ＳＩ修正期間中の均等に分散されたページングオケージョンを含む、実施形態１から３のいずれか１つに記載の方法。
６．  基地局から更新されたシステム情報（ＳＩ）を受信するための、無線デバイスによって実施される方法であって、無線デバイスが、第１のキャリア上の物理リソースの連続サブセットを使用して基地局と通信しており、方法は、
−  基地局から今後のＳＩ更新の指示を受信することであって、指示が、物理リソースの連続サブセット内の物理リソース上で受信される、指示を受信すること
を含む、方法。
７．  指示が、物理リソースの連続サブセット内の専用ページングチャネル上で受信されるページングメッセージを含む、実施形態６に記載の方法。
８．  指示が、物理リソースの連続サブセット内の物理ダウンリンク制御チャネル（ＰＤＣＣＨ）上で受信されるメッセージを含む、実施形態６に記載の方法。
９．  指示が専用ＲＲＣシグナリングを含む、実施形態６に記載の方法。
１０．  指示は、どのシステム情報ブロックが更新されるべきであるか、および／または更新されるべきであるシステム情報ブロックに関連付けられた新しい値タグ、のうちの１つまたは複数に関係する情報を含む、実施形態６から９のいずれか１つに記載の方法。
１１．
ａ．指示を受信したことに応答して、更新されたＳＩを受信するための、物理リソースの連続サブセットの外部の物理リソースを監視すること
をさらに含む、実施形態６から１０のいずれか１つに記載の方法。
１２．  指示は、更新されたシステム情報に関係するメッセージが物理リソースの連続サブセットの外部の物理リソース上で送信されることになる時間期間に関係する情報を含む、実施形態１１に記載の方法。
１３．  指示が、更新されたシステム情報に関係するメッセージを送信するために使用されるべき周波数リソースに関係する情報をさらに含む、実施形態１２に記載の方法。
１４．  指示が、ＳＩメッセージのためのスケジューリング割り当てを含み、スケジューリング割り当てが、物理リソースの連続サブセット内の物理ダウンリンク制御チャネルを使用して受信される、実施形態１１に記載の方法。
１５．
ａ．指示を受信したことに応答して、更新されたシステム情報を受信するための、物理リソースの連続サブセット内の物理リソース上で、更新されたＳＩのブロードキャストを受信すること
をさらに含む、実施形態６から１０のいずれか１つに記載の方法。
１６．
ａ．指示を受信したことに応答して、物理リソースの連続サブセット内の物理リソースを使用して、更新されたＳＩをブロードキャストするようにとの要求を基地局に送信すること
をさらに含む、実施形態１５に記載の方法。
１７．
ａ．無線リソース制御シグナリングを使用して要求を送信すること
をさらに含む、実施形態１６に記載の方法。
１８．  ブロードキャストが、システム情報修正期間内の複数のページングオケージョンのサブセット上で受信される、実施形態１５から１７のいずれか１つに記載の方法。
１９．  専用無線リソース制御（ＲＲＣ）シグナリング上で、更新されたＳＩを受信することをさらに含む、実施形態６から１０のいずれか１つに記載の方法。
２０．  更新されたＳＩを送信するようにとの要求を基地局に送信したことに応答して、更新されたＳＩを受信することをさらに含む、実施形態１９に記載の方法。
２１．
−  ユーザデータを提供することと、
−  基地局への送信を介してユーザデータをホストコンピュータにフォワーディングすることと
をさらに含む、前の実施形態のいずれか１つに記載の方法。
【０１７３】
グループＢの実施形態
２２．  無線デバイスに更新されたシステム情報（ＳＩ）の通知を送信するための、基地局によって実施される方法であって、無線デバイスが、第１のキャリア上の物理リソースの連続サブセットを使用して基地局と通信しており、方法は、
ａ．ＳＩの今後の更新に応答して、ＳＩ修正期間内に複数のページングオケージョンの各々の上でＳＩの今後の更新を指示する通知を送信することと、
ｂ．無線デバイスが監視するように設定されている、ＳＩ修正期間中の複数のページングオケージョンのサブセットの指示を取得することと、
ｃ．ページングオケージョンのサブセット中に、物理リソースの連続サブセット上で無線デバイスへの送信をスケジュールすることを抑制することと
を含む、方法。
２３．  取得するステップが、無線デバイスから複数のページングオケージョンのサブセットの指示を受信することを含む、実施形態２２に記載の方法。
２４．  取得するステップが、無線デバイスに関連付けられたカテゴリーまたは能力情報に基づいて、複数のページングオケージョンのサブセットを決定することを含む、実施形態２２に記載の方法。
２５．  無線デバイスに複数のページングオケージョンのサブセットの指示を送信することをさらに含む、実施形態２２または２４に記載の方法。
２６．  ＳＩ修正期間中の複数のページングオケージョンのサブセットが、ＳＩ修正期間中の最後のページングオケージョンである、実施形態２２から２５のいずれか１つに記載の方法。
２７．  ＳＩ修正期間中の複数のページングオケージョンのサブセットが、ＳＩ修正期間中の均等に分散されたページングオケージョンを含む、実施形態２２から２５のいずれか１つに記載の方法。
２８．  無線デバイスに更新されたシステム情報（ＳＩ）を送信するための、基地局によって実施される方法であって、無線デバイスが、第１のキャリア上の物理リソースの連続サブセットを使用して基地局と通信しており、方法は、
−  無線デバイスに今後のＳＩ更新の指示を送信することであって、指示が、物理リソースの連続サブセット内の物理リソース上で送信される、指示を送信すること
を含む、方法。
２９．  指示が、物理リソースの連続サブセット内の専用ページングチャネル上で送信されるページングメッセージを含む、実施形態２８に記載の方法。
３０．  指示が、物理リソースの連続サブセット内の物理ダウンリンク制御チャネル（ＰＤＣＣＨ）上で送信されるメッセージを含む、実施形態２８に記載の方法。
３１．  指示が、物理リソースの連続サブセットを使用して基地局と通信する複数の無線デバイスに送信され、指示が、ＳＩ修正期間内の複数のページングオケージョンの各々中に送信される、実施形態２９または３０に記載の方法。
３２．  指示が、物理リソースの連続サブセットを使用して基地局と通信する複数の無線デバイスに送信され、指示は、複数の無線デバイスのうちの１つまたは複数が物理リソースの連続サブセットを監視していることに基地局が気づいている時間期間中に送信される、実施形態２９または３０に記載の方法。
３３．  指示が専用ＲＲＣシグナリングを含む、実施形態２８に記載の方法。
３４．  指示は、どのシステム情報ブロックが更新されるべきであるか、および／または更新されるべきであるシステム情報ブロックに関連付けられた新しい値タグ、のうちの１つまたは複数に関係する情報を含む、実施形態２８から３３のいずれか１つに記載の方法。
３５．
ａ．物理リソースの連続サブセットの外部の物理リソースを使用して更新されたＳＩを送信すること
をさらに含む、実施形態２８から３４のいずれか１つに記載の方法。
３６．  指示は、更新されたＳＩに関係するメッセージが物理リソースの連続サブセットの外部の物理リソース上で送信されることになる時間期間に関係する情報を含む、実施形態３５に記載の方法。
３７．  指示が、更新されたシステム情報に関係するメッセージを送信するために使用されるべき周波数リソースに関係する情報をさらに含む、実施形態３６に記載の方法。
３８．  指示が、ＳＩメッセージのためのスケジューリング割り当てを含み、スケジューリング割り当てが、物理リソースの連続サブセット内の物理ダウンリンク制御チャネルを使用して送信される、実施形態３５に記載の方法。
３９．
ａ．物理リソースの連続サブセット内の物理リソース上で、更新されたＳＩのブロードキャストを送信すること
をさらに含む、実施形態２８から３４のいずれか１つに記載の方法。
４０．
ａ．更新されたＳＩをブロードキャストするようにとの要求を無線デバイスから受信したことに応答して、ブロードキャストを送信すること
をさらに含む、実施形態３９に記載の方法。
４１．
ａ．無線リソース制御シグナリング上で要求を受信すること
をさらに含む、実施形態４０に記載の方法。
４２．  ブロードキャストが、システム情報修正期間内の複数のページングオケージョンのサブセット上で送信される、実施形態３９から４１のいずれか１つに記載の方法。
４３．  専用無線リソース制御（ＲＲＣ）シグナリング上で、更新されたＳＩを送信することをさらに含む、実施形態２８から３４のいずれか１つに記載の方法。
４４．  更新されたＳＩを送信するようにとの要求を無線デバイスから受信したことに応答して、更新されたＳＩを送信することをさらに含む、実施形態４３に記載の方法。
４５．
−  ユーザデータを取得することと、
−  ユーザデータをホストコンピュータまたは無線デバイスにフォワーディングすることと
をさらに含む、前の実施形態のいずれか１つに記載の方法。
【０１７４】
グループＣの実施形態
４６．  基地局から更新されたシステム情報（ＳＩ）を受信するための無線デバイスであって、無線デバイスが、
−  グループＡの実施形態のいずれか１つに記載のステップのいずれかを実施するように設定された処理回路要素と、
−  無線デバイスに電力を供給するように設定された電力供給回路要素と
を備える、無線デバイス。
４７．  無線デバイスに更新されたシステム情報（ＳＩ）を送信するための基地局であって、基地局が、
−  グループＢの実施形態のいずれか１つに記載のステップのいずれかを実施するように設定された処理回路要素と、
−  基地局に電力を供給するように設定された電力供給回路要素と
を備える、基地局。
４８．  基地局から更新されたシステム情報（ＳＩ）を受信するためのユーザ機器（ＵＥ）であって、ＵＥが、
−  無線信号を送り、受信するように設定されたアンテナと、
−  アンテナおよび処理回路要素に接続され、アンテナと処理回路要素との間で通信される信号を調節するように設定された、無線フロントエンド回路要素と、
−  グループＡの実施形態のいずれか１つに記載のステップのいずれかを実施するように設定された処理回路要素と、
−  処理回路要素に接続され、ＵＥへの情報の入力が処理回路要素によって処理されることを可能にするように設定された、入力インターフェースと、
−  処理回路要素に接続され、処理回路要素によって処理されたＵＥからの情報を出力するように設定された、出力インターフェースと、
−  処理回路要素に接続され、ＵＥに電力を供給するように設定された、バッテリーと
を備える、ユーザ機器（ＵＥ）。
４９．  ホストコンピュータを含む通信システムであって、ホストコンピュータが、
−  ユーザデータを提供するように設定された処理回路要素と、
−  ユーザ機器（ＵＥ）への送信のためにユーザデータをセルラーネットワークにフォワーディングするように設定された通信インターフェースと
を備え、
−  セルラーネットワークが、無線インターフェースと処理回路要素とを有する基地局を備え、基地局の処理回路要素が、グループＢの実施形態のいずれか１つに記載のステップのいずれかを実施するように設定された、
通信システム。
５０．基地局をさらに含む、前の実施形態に記載の通信システム。
５１．ＵＥをさらに含み、ＵＥが基地局と通信するように設定された、前の２つの実施形態に記載の通信システム。
５２．
−  ホストコンピュータの処理回路要素が、ホストアプリケーションを実行し、それによりユーザデータを提供するように設定され、
−  ＵＥが、ホストアプリケーションに関連付けられたクライアントアプリケーションを実行するように設定された処理回路要素を備える、
前の３つの実施形態に記載の通信システム。
５３．ホストコンピュータと、基地局と、ユーザ機器（ＵＥ）とを含む通信システムにおいて実装される方法であって、方法は、
−  ホストコンピュータにおいて、ユーザデータを提供することと、
−  ホストコンピュータにおいて、基地局を備えるセルラーネットワークを介してＵＥにユーザデータを搬送する送信を始動することであって、基地局が、グループＢの実施形態のいずれか１つに記載のステップのいずれかを実施する、送信を始動することと
を含む、方法。
５４．基地局においてユーザデータを送信することをさらに含む、前の実施形態に記載の方法。
５５．ユーザデータが、ホストアプリケーションを実行することによってホストコンピュータにおいて提供され、方法が、ＵＥにおいて、ホストアプリケーションに関連付けられたクライアントアプリケーションを実行することをさらに含む、前の２つの実施形態に記載の方法。
５６．基地局と通信するように設定されたユーザ機器（ＵＥ）であって、ＵＥが、前の３つの実施形態を実施するように設定された無線インターフェースと処理回路要素とを備える、ユーザ機器（ＵＥ）。
５７．ホストコンピュータを含む通信システムであって、ホストコンピュータが、
−  ユーザデータを提供するように設定された処理回路要素と、
−  ユーザ機器（ＵＥ）への送信のためにユーザデータをセルラーネットワークにフォワーディングするように設定された通信インターフェースと
を備え、
−  ＵＥが、無線インターフェースと処理回路要素とを備え、ＵＥの構成要素が、グループＡの実施形態のいずれか１つに記載のステップのいずれかを実施するように設定された、
通信システム。
５８．  セルラーネットワークが、ＵＥと通信するように設定された基地局をさらに含む、前の実施形態に記載の通信システム。
５９．
−  ホストコンピュータの処理回路要素が、ホストアプリケーションを実行し、それによりユーザデータを提供するように設定され、
−  ＵＥの処理回路要素が、ホストアプリケーションに関連付けられたクライアントアプリケーションを実行するように設定された、
前の２つの実施形態に記載の通信システム。
６０．  ホストコンピュータと、基地局と、ユーザ機器（ＵＥ）とを含む通信システムにおいて実装される方法であって、方法は、
−  ホストコンピュータにおいて、ユーザデータを提供することと、
−  ホストコンピュータにおいて、基地局を備えるセルラーネットワークを介してＵＥにユーザデータを搬送する送信を始動することであって、ＵＥが、グループＡの実施形態のいずれか１つに記載のステップのいずれかを実施する、送信を始動することと
を含む、方法。
６１．  ＵＥにおいて、基地局からユーザデータを受信することをさらに含む、前の実施形態に記載の方法。
６２．  ホストコンピュータを含む通信システムであって、ホストコンピュータが、
−  ユーザ機器（ＵＥ）から基地局への送信から発生したユーザデータを受信するように設定された通信インターフェース
を備え、
−  ＵＥが、無線インターフェースと処理回路要素とを備え、ＵＥの処理回路要素が、グループＡの実施形態のいずれか１つに記載のステップのいずれかを実施するように設定された、
通信システム。
６３．  ＵＥをさらに含む、前の実施形態に記載の通信システム。
６４．  基地局をさらに含み、基地局が、ＵＥと通信するように設定された無線インターフェースと、ＵＥから基地局への送信によって搬送されたユーザデータをホストコンピュータにフォワーディングするように設定された通信インターフェースとを備える、前の２つの実施形態に記載の通信システム。
６５．
−  ホストコンピュータの処理回路要素が、ホストアプリケーションを実行するように設定され、
−  ＵＥの処理回路要素が、ホストアプリケーションに関連付けられたクライアントアプリケーションを実行し、それによりユーザデータを提供するように設定された、
前の３つの実施形態に記載の通信システム。
６６．
−  ホストコンピュータの処理回路要素が、ホストアプリケーションを実行し、それにより要求データを提供するように設定され、
−  ＵＥの処理回路要素が、ホストアプリケーションに関連付けられたクライアントアプリケーションを実行し、それにより要求データに応答してユーザデータを提供するように設定された、
前の４つの実施形態に記載の通信システム。
６７．  ホストコンピュータと、基地局と、ユーザ機器（ＵＥ）とを含む通信システムにおいて実装される方法であって、方法は、
−  ホストコンピュータにおいて、ＵＥから基地局に送信されたユーザデータを受信することであって、ＵＥが、グループＡの実施形態のいずれか１つに記載のステップのいずれかを実施する、ユーザデータを受信すること
を含む、方法。
６８．  ＵＥにおいて、基地局にユーザデータを提供することをさらに含む、前の実施形態に記載の方法。
６９．
−  ＵＥにおいて、クライアントアプリケーションを実行し、それにより、送信されるべきユーザデータを提供することと、
−  ホストコンピュータにおいて、クライアントアプリケーションに関連付けられたホストアプリケーションを実行することと
をさらに含む、前の２つの実施形態に記載の方法。
７０．
−  ＵＥにおいて、クライアントアプリケーションを実行することと、
−  ＵＥにおいて、クライアントアプリケーションへの入力データを受信することであって、入力データが、ホストコンピュータにおいて、クライアントアプリケーションに関連付けられたホストアプリケーションを実行することによって提供される、入力データを受信することと
をさらに含み、
−  送信されるべきユーザデータが、入力データに応答してクライアントアプリケーションによって提供される、
前の３つの実施形態に記載の方法。
７１．  ホストコンピュータを含む通信システムであって、ホストコンピュータが、ユーザ機器（ＵＥ）から基地局への送信から発生したユーザデータを受信するように設定された通信インターフェースを備え、基地局が、無線インターフェースと処理回路要素とを備え、基地局の処理回路要素が、グループＢの実施形態のいずれか１つに記載のステップのいずれかを実施するように設定された、通信システム。
７２．  基地局をさらに含む、前の実施形態に記載の通信システム。
７３．  ＵＥをさらに含み、ＵＥが基地局と通信するように設定された、前の２つの実施形態に記載の通信システム。
７４．
−  ホストコンピュータの処理回路要素が、ホストアプリケーションを実行するように設定され、
−  ＵＥが、ホストアプリケーションに関連付けられたクライアントアプリケーションを実行し、それによりホストコンピュータによって受信されるべきユーザデータを提供するように設定された、
前の３つの実施形態に記載の通信システム。
７５．  ホストコンピュータと、基地局と、ユーザ機器（ＵＥ）とを含む通信システムにおいて実装される方法であって、方法は、
−  ホストコンピュータにおいて、基地局から、基地局がＵＥから受信した送信から発生したユーザデータを受信することであって、ＵＥが、グループＡの実施形態のいずれか１つに記載のステップのいずれかを実施する、ユーザデータを受信すること
を含む、方法。
７６．  基地局において、ＵＥからユーザデータを受信することをさらに含む、前の実施形態に記載の方法。
７７．  基地局において、ホストコンピュータへの、受信されたユーザデータの送信を始動することをさらに含む、前の２つの実施形態に記載の方法。
【０１７５】
略語
以下の略語のうちの少なくともいくつかが本開示で使用され得る。略語間の不整合がある場合、上記でそれがどのように使用されるかが選好されるべきである。以下で複数回リストされる場合、最初のリスティングが（１つまたは複数の）後続のリスティングよりも選好されるべきである。
３ＧＰＰ  第３世代パートナーシッププロジェクト
５Ｇ  第５世代
ＢＷＰ  帯域幅部分
ＣＭＡＳ  商用モバイル警告システム
ＣＯＲＥＳＥＴ  制御リソースセット
ＣＲＣ  サイクリック冗長検査
ＤＣＩ  ダウンリンク制御情報
Ｄｌ  ダウンリンク
ＤＲＸ  間欠受信
ＥＡＢ  拡張アクセス規制
ｅＮＢ  エボルブドノードＢ
ＥＴＷＳ  地震および津波警報システム
ｇＮＢ  （ＬＴＥにおけるｅＮＢに対応する）ＮＲにおける無線基地局のための用語。
ＩＤ  識別情報／識別子
ＬＴＥ  Ｌｏｎｇ  Ｔｅｒｍ  Ｅｖｏｌｕｔｉｏｎ
ＭＩＢ  マスタ情報ブロック
Ｍｓｇ  メッセージ
ＭＴＣ  マシン型通信
ＮＧＣ  次世代コア
ＮＲ  新しい無線（３ＧＰＰが取り組んでいる技術報告および標準仕様において５Ｇ無線インターフェースおよび無線アクセスネットワークのために使用される用語。）
ＰＢＣＨ  物理ブロードキャストチャネル
ＰＣＩ  物理セル識別情報
ＰＤＣＣＨ  物理ダウンリンク制御チャネル
ＰＤＳＣＨ  物理ダウンリンク共有チャネル
ＰＲＡＣＨ  物理ランダムアクセスチャネル
ＰＳＳ  １次同期信号
ＱＣＬ  擬似コロケートされる
ＲＡ  ランダムアクセス
ＲＡＲ  ランダムアクセス応答
ＲＡＮ  ランダムアクセスネットワーク
ＲＭＳＩ  残存最小システム情報
ＲＲＣ  無線リソース制御
ＲＮＴＩ  無線ネットワーク一時識別子
ＳＦＮ  単一周波数ネットワーク
ＳＩ  システム情報
ＳＩＢ  システム情報ブロック
ＳＳ  同期信号
ＳＳＳ  ２次同期信号
ＳＩ−ＲＮＴＩ  システム情報ＲＮＴＩ
ＴＲＰ  送信／受信ポイント
ＵＥ  ユーザ機器
ＵＬ  アップリンク
ＵＴＣ  協定世界時
ＥＡＢ  拡張アクセス規制
１ｘ  ＲＴＴ  ＣＤＭＡ２０００  １ｘ無線送信技術
３ＧＰＰ  第３世代パートナーシッププロジェクト
５Ｇ  第５世代
ＡＢＳ  オールモストブランクサブフレーム
ＡＲＱ  自動再送要求
ＡＷＧＮ  加法性白色ガウス雑音
ＢＣＣＨ  ブロードキャスト制御チャネル
ＢＣＨ  ブロードキャストチャネル
ＣＡ  キャリアアグリゲーション
ＣＣ  キャリアコンポーネント
ＣＣＣＨ  ＳＤＵ  共通制御チャネルＳＤＵ
ＣＤＭＡ  符号分割多重化アクセス
ＣＧＩ  セルグローバル識別子
ＣＩＲ  チャネルインパルス応答
ＣＰ  サイクリックプレフィックス
ＣＰＩＣＨ  共通パイロットチャネル
ＣＰＩＣＨ  Ｅｃ／Ｎｏ  帯域中の電力密度で除算されたチップごとのＣＰＩＣＨ受信エネルギー
ＣＱＩ  チャネル品質情報
Ｃ−ＲＮＴＩ  セルＲＮＴＩ
ＣＳＩ  チャネル状態情報
ＤＣＣＨ  専用制御チャネル
ＤＬ  ダウンリンク
ＤＭ  復調
ＤＭＲＳ  復調用参照信号
ＤＲＸ  間欠受信
ＤＴＸ  間欠送信
ＤＴＣＨ  専用トラフィックチャネル
ＤＵＴ  被試験デバイス
Ｅ−ＣＩＤ  拡張セルＩＤ（測位方法）
Ｅ−ＳＭＬＣ  エボルブドサービングモバイルロケーションセンター
ＥＣＧＩ  エボルブドＣＧＩ
ｅＮＢ  Ｅ−ＵＴＲＡＮノードＢ
ｅＰＤＣＣＨ  拡張物理ダウンリンク制御チャネル
Ｅ−ＳＭＬＣ  エボルブドサービングモバイルロケーションセンター
Ｅ−ＵＴＲＡ  エボルブドＵＴＲＡ
Ｅ−ＵＴＲＡＮ  エボルブドＵＴＲＡＮ
ＦＤＤ  周波数分割複信
ＦＦＳ  さらなる検討が必要
ＧＥＲＡＮ  ＧＳＭ  ＥＤＧＥ無線アクセスネットワーク
ｇＮＢ  ＮＲにおける基地局
ＧＮＳＳ  グローバルナビゲーション衛星システム
ＧＳＭ  モバイル通信用グローバルシステム
ＨＡＲＱ  ハイブリッド自動再送要求
ＨＯ  ハンドオーバ
ＨＳＰＡ  高速パケットアクセス
ＨＲＰＤ  高速パケットデータ
ＬＯＳ  見通し線
ＬＰＰ  ＬＴＥ測位プロトコル
ＬＴＥ  Ｌｏｎｇ−Ｔｅｒｍ  Ｅｖｏｌｕｔｉｏｎ
ＭＡＣ  媒体アクセス制御
ＭＢＭＳ  マルチメディアブロードキャストマルチキャストサービス
ＭＢＳＦＮ  マルチメディアブロードキャストマルチキャストサービス単一周波数ネットワーク
ＭＢＳＦＮ  ＡＢＳ  ＭＢＳＦＮオールモストブランクサブフレーム
ＭＤＴ  ドライブテスト最小化
ＭＩＢ  マスタ情報ブロック
ＭＭＥ  モビリティ管理エンティティ
ＭＳＣ  モバイルスイッチングセンター
ＮＰＤＣＣＨ  狭帯域物理ダウンリンク制御チャネル
ＮＲ  新しい無線
ＯＣＮＧ  ＯＦＤＭＡチャネル雑音生成器
ＯＦＤＭ  直交周波数分割多重
ＯＦＤＭＡ  直交周波数分割多元接続
ＯＳＳ  運用サポートシステム
ＯＴＤＯＡ  観測到達時間差
Ｏ＆Ｍ  運用および保守
ＰＢＣＨ  物理ブロードキャストチャネル
Ｐ−ＣＣＰＣＨ  １次共通制御物理チャネル
ＰＣｅｌｌ  １次セル
ＰＣＦＩＣＨ  物理制御フォーマットインジケータチャネル
ＰＤＣＣＨ  物理ダウンリンク制御チャネル
ＰＤＰ  プロファイル遅延プロファイル
ＰＤＳＣＨ  物理ダウンリンク共有チャネル
ＰＧＷ  パケットゲートウェイ
ＰＨＩＣＨ  物理ハイブリッド自動再送要求指示チャネル
ＰＬＭＮ  パブリックランドモバイルネットワーク
ＰＭＩ  プリコーダ行列インジケータ
ＰＲＡＣＨ  物理ランダムアクセスチャネル
ＰＲＳ  測位参照信号
ＰＳＳ  １次同期信号
ＰＵＣＣＨ  物理アップリンク制御チャネル
ＰＵＳＣＨ  物理アップリンク共有チャネル
ＲＡＣＨ  ランダムアクセスチャネル
ＱＡＭ  直交振幅変調
ＲＡＮ  無線アクセスネットワーク
ＲＡＴ  無線アクセス技術
ＲＬＭ  無線リンク管理
ＲＮＣ  無線ネットワークコントローラ
ＲＮＴＩ  無線ネットワーク一時識別子
ＲＲＣ  無線リソース制御
ＲＲＭ  無線リソース管理
ＲＳ  参照信号
ＲＳＣＰ  受信信号コード電力
ＲＳＲＰ  参照シンボル受信電力または
参照信号受信電力
ＲＳＲＱ  参照信号受信品質または
参照シンボル受信品質
ＲＳＳＩ  受信信号強度インジケータ
ＲＳＴＤ  参照信号時間差
ＳＣＨ  同期チャネル
ＳＣｅｌｌ  ２次セル
ＳＤＵ  サービスデータユニット
ＳＦＮ  システムフレーム番号
ＳＧＷ  サービングゲートウェイ
ＳＩ  システム情報
ＳＩＢ  システム情報ブロック
ＳＮＲ  信号対雑音比
ＳＯＮ  自己最適化ネットワーク
ＳＳ  同期信号
ＳＳＳ  ２次同期信号
ＴＤＤ  時分割複信
ＴＤＯＡ  到達時間差
ＴＯＡ  到達時間
ＴＳＳ  ３次同期信号
ＴＴＩ  送信時間間隔
ＵＥ  ユーザ機器
ＵＬ  アップリンク
ＵＭＴＳ  Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
ＵＳＩＭ  汎用加入者識別モジュール
ＵＴＤＯＡ  アップリンク到達時間差
ＵＴＲＡ  ユニバーサル地上無線アクセス
ＵＴＲＡＮ  ユニバーサル地上無線アクセスネットワーク
ＷＣＤＭＡ  ワイドＣＤＭＡ
ＷＬＡＮ  ワイドローカルエリアネットワーク
【図１】
2021510475.tif 000003
【図２】
2021510475.tif 000004
【図３】
2021510475.tif 000005
【図４】
2021510475.tif 000006
【図５】
2021510475.tif 000007
【図６】
2021510475.tif 000008
【図７】
2021510475.tif 000009
【図８】
2021510475.tif 000010
【図９】
2021510475.tif 000011
【図１０】
2021510475.tif 000012
【図１１】
2021510475.tif 000013
【図１２】
2021510475.tif 000014
【図１３】
2021510475.tif 000015
【図１４】
2021510475.tif 000016
【図１５】
2021510475.tif 000017
【図１６】
2021510475.tif 000018
【図１７】
2021510475.tif 000019
【図１８】
2021510475.tif 000020
【図１９】
2021510475.tif 000021
【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
基地局から今後のシステム情報（ＳＩ）更新の通知を受信するための、無線デバイスによって実施される方法であって、前記無線デバイスが、第１のキャリア上の物理リソースの連続サブセットを使用して前記基地局と通信しており、前記方法は、
−  前記無線デバイスが監視するように設定されている、ＳＩ修正期間中の複数のページングオケージョンのサブセットの指示を取得することであって、ＳＩの今後の更新に応答して、前記基地局が、前記ＳＩ修正期間中の前記複数のページングオケージョンの各々の上で通知を送信するように設定されている、指示を取得することと、
−  今後のＳＩ更新の通知について前記複数のページングオケージョンの前記サブセットを監視することと
を含む、方法。
【請求項２】
前記取得するステップが、
前記基地局から前記指示を受信すること
を含む、請求項１に記載の方法。
【請求項３】
前記取得するステップが、
前記無線デバイスに関連付けられたカテゴリーまたは能力情報に基づいて前記指示を決定すること
を含む、請求項１に記載の方法。
【請求項４】
前記ＳＩ修正期間中の前記複数のページングオケージョンの前記サブセットが、前記ＳＩ修正期間中の最後のページングオケージョンである、請求項１から３のいずれか一項に記載の方法。
【請求項５】
前記ＳＩ修正期間中の前記複数のページングオケージョンの前記サブセットが、前記ＳＩ修正期間中の均等に分散されたページングオケージョンを含む、請求項１から３のいずれか一項に記載の方法。
【請求項６】
第１のキャリア上の物理リソースの前記連続サブセットが帯域幅部分を含む、請求項１から５のいずれか一項に記載の方法。
【請求項７】
専用ＲＲＣシグナリングを介して、更新されたＥＴＷＳ／ＣＭＡＳ情報を受信すること
をさらに含む、請求項１から６のいずれか一項に記載の方法。
【請求項８】
無線デバイスに更新されたシステム情報（ＳＩ）の通知を送信するための、基地局によって実施される方法であって、前記無線デバイスが、第１のキャリア上の物理リソースの連続サブセットを使用して前記基地局と通信しており、前記方法は、
ＳＩの今後の更新に応答して、ＳＩ修正期間内に複数のページングオケージョンの各々の上でＳＩの前記今後の更新を指示する通知を送信することと、
前記無線デバイスが監視するように設定されている、前記ＳＩ修正期間中の前記複数のページングオケージョンのサブセットの指示を取得することと、
ページングオケージョンの前記サブセット中に、物理リソースの前記連続サブセット上で前記無線デバイスへの送信をスケジュールすることを抑制することと
を含む、方法。
【請求項９】
前記取得するステップが、前記無線デバイスから前記複数のページングオケージョンの前記サブセットの指示を受信することを含む、請求項８に記載の方法。
【請求項１０】
前記取得するステップが、前記無線デバイスに関連付けられたカテゴリーまたは能力情報に基づいて、前記複数のページングオケージョンの前記サブセットを決定することを含む、請求項８に記載の方法。
【請求項１１】
前記無線デバイスに前記複数のページングオケージョンの前記サブセットの指示を送信することをさらに含む、請求項８または１０に記載の方法。
【請求項１２】
前記ＳＩ修正期間中の前記複数のページングオケージョンのサブセットが、前記ＳＩ修正期間中の最後のページングオケージョンである、請求項８から１１のいずれか一項に記載の方法。
【請求項１３】
前記ＳＩ修正期間中の前記複数のページングオケージョンの前記サブセットが、前記ＳＩ修正期間中の均等に分散されたページングオケージョンを含む、請求項８から１１のいずれか一項に記載の方法。
【請求項１４】
第１のキャリア上の物理リソースの前記連続サブセットが帯域幅部分を含む、請求項８から１３のいずれか一項に記載の方法。
【請求項１５】
専用ＲＲＣシグナリングを介して、前記無線デバイスに、更新された地震および津波警報システム（ＥＴＷＳ）情報および／または商用モバイル警告システム（ＣＭＡＳ）情報を送信すること
をさらに含む、請求項８から１４のいずれか一項に記載の方法。
【請求項１６】
前記更新されたＥＴＷＳおよび／またはＣＭＡＳ情報を受信することに関心があり、ならびに／あるいは前記更新されたＥＴＷＳおよび／またはＣＭＡＳ情報を受信することが可能であることを、それらのカテゴリー／能力情報が指示する無線デバイスのみに、前記更新されたＥＴＷＳおよび／またはＣＭＡＳ情報を送信すること
をさらに含む、請求項１５に記載の方法。
【手続補正２】
【補正対象書類名】明細書
【補正対象項目名】０００６
【補正方法】変更
【補正の内容】
【０００６】
図２は、他のＳＩのブロードキャスト／送信を要求するためのＭｓｇ３ソリューションのメッセージシーケンスを示す。Ｍｓｇ３ソリューションでは、要求プロシージャは、通常のランダムアクセスプロシージャのように始まり、すなわち、ＵＥは、Ｍｓｇ１中の通常の（非専用）プリアンブルのうちの１つを送信し、応答の通常のＭｓｇ２を受信し、Ｍｓｇ２は、任意の通常のＭｓｇ２のように、Ｍｓｇ３の送信のためのアップリンク送信リソースを割り当て、ならびにＵＥが正しいタイミングでＭｓｇ３を送信することを可能にするためのタイミングアドバンス指示を提供する。Ｍｓｇ３中に含まれるＳＩ要求は、最小ＳＩ中のスケジューリング情報に従って、ＵＥからのＭｓｇ３中で指定された他のＳＩの部分をブロードキャスト／送信するようにネットワークをトリガする。ネットワーク、たとえばｇＮＢも、Ｍｓｇ３の受信の成功を確認し、要求されたＳＩがブロードキャストされることになることを確認する、Ｍｓｇ４を送信する。ＵＥがオンデマンドＳＩの要求のためのＭｓｇ３方法を使用するとき、ＵＥは、（最小ＳＩ中で指定された）通常の非専用プリアンブルのうちの１つをランダムに選択し、ＰＲＡＣＨリソースを使用してネットワークにこのプリアンブルを送信する。ＵＥは、次いで、（Ｍｓｇ２ウィンドウ中に）Ｍｓｇ２を待ち、Ｍｓｇ２を受信した後に、ＵＥは、（Ｍｓｇ２中で指示されたタイミングアドバンスおよびアップリンク送信リソースを使用して）Ｍｓｇ３を送信し、確認Ｍｓｇ４についてダウンリンクを監視する。確認Ｍｓｇ４を受信した後に、ＵＥは、最小ＳＩ中で（ＳＩＢ１中で）指示された、要求されたＳＩのためのスケジューリング情報に従って、要求されたＳＩのブロードキャストについてダウンリンクを監視する。プロシージャは以下の図２に示されている。
【国際調査報告】
2021510475.tif 000022
2021510475.tif 000023
2021510475.tif 000024
2021510475.tif 000025